(57)【要約】【課題】番組の映像と地図とを好適なタイミングで切り換えて表示することができるデジタル放送受信装置を提供する。【解決手段】地図を表示する地図表示処理部１１と、番組の映像および音声を再生する映像・音声解析再生部３と、映像・音声解析再生部３における処理の優先度が地図表示処理部１１における処理より高くなるように制御する処理優先度制御部１５と、動画表示用の動画プレーン１７、動画表示用以外の描画プレーンである地図用プレーンおよび動画プレーンの出力と地図用プレーンの出力とを合成して表示画面を生成する表示制御部１６とを備え、地図表示処理部１１は、地図用プレーンに地図を描画し、映像・音声解析再生部３は、地図表示処理部１１により地図を表示中であっても番組の映像を再生して動画プレーン１７に描画し続ける。【選択図】図１
2008294952.tif 000002
【特許請求の範囲】
【請求項１】
地図を表示する地図表示処理部と、
番組の映像および音声を再生する映像・音声解析再生部と、
前記映像・音声解析再生部における処理の優先度が前記地図表示処理部における処理より高くなるように制御する処理優先度制御部と、
動画表示用の動画プレーン、動画表示用以外の描画プレーンである地図用プレーンおよび前記動画プレーンの出力と前記地図用プレーンの出力とを合成して表示画面を生成する表示制御部とを備え、
前記地図表示処理部は、前記地図用プレーンに地図を描画し、
前記映像・音声解析再生部は、前記地図表示処理部により地図を表示中であっても番組の映像を再生して動画プレーンに描画し続ける
デジタル放送受信装置。
【請求項２】
地図を表示する地図表示処理部と、
番組の映像および音声を再生する映像・音声解析再生部と、
前記映像・音声解析再生部における処理の優先度が前記地図表示処理部における処理より高くなるように制御する処理優先度制御部と、
動画表示用の動画プレーン、動画表示用以外の描画プレーンである地図用プレーンおよび前記動画プレーンの出力と前記地図用プレーンの出力とを合成して表示画面を生成する表示制御部と、
音声を出力する音声出力部とを備え、
前記地図表示処理部は、前記地図用プレーンに地図を描画し、
前記映像・音声解析再生部は、前記地図表示処理部により地図を表示中であっても番組の音声を再生して前記音声出力部に送り続ける
デジタル放送受信装置。
【請求項３】
表示制御部は、複数の要求元から地図用プレーンへの描画の要求を排他制御する排他制御部を備え、
地図表示処理部は、前記排他制御部により描画の要求が受け入れた場合に地図用プレーンに地図を描画する
ことを特徴とする請求項１または請求項２記載のデジタル放送受信装置。
【請求項４】
表示制御部は、地図用プレーンの色テーブルの設定を切り替える色テーブル切替制御部を備え、
地図表示処理部は、前記色テーブル切替制御部により設定された色テーブルに従って地図用プレーンに地図を描画する
ことを特徴とする請求項３記載のデジタル放送受信装置。
【請求項５】
地図用プレーンは複数の描画プレーンから成り、
表示制御部は、前記複数の描画プレーンに対する描画を同期させる描画同期処理部を備え、
地図表示処理部は、前記描画同期処理部からの指示に応答して、前記複数の描画プレーンに異なる描画対象を同期して描画する
ことを特徴とする請求項１または請求項２記載のデジタル放送受信装置。
【請求項６】
放送を受信して得られた情報から分離された番組情報を解析する番組情報解析部を備え、
地図表示処理部は、地図用プレーンに地図を描画中であれば、前記番組情報解析部における解析により得られた情報を該地図に重畳して描画する
ことを特徴とする請求項１から請求項５のうちのいずれか１項記載のデジタル放送受信装置。
【請求項７】
放送を受信して得られた情報から分離された番組情報を解析する番組情報解析部を備え、
地図表示処理部は、地図用プレーンに地図を描画中であれば、前記番組情報解析部における解析により得られた放送局に関する地理的情報を該地図に重畳して描画する
ことを特徴とする請求項１から請求項５のうちのいずれか１項記載のデジタル放送受信装置。
【請求項８】
放送を受信して得られた情報から分離されたデータ放送情報を解析するデータ放送情報解析部を備え、
地図表示処理部は、地図用プレーンに地図を描画中であれば、前記データ放送情報解析部における解析により得られたデータ放送情報を該地図に重畳して描画する
ことを特徴とする請求項１から請求項５のうちのいずれか１項記載のデジタル放送受信装置。
【請求項９】
受信したデジタル放送波の中の選局された放送局に対応する周波数帯域を復調するデジタル放送選局受信部と、
前記デジタル放送選局受信部から出力される多重化された情報を分離する情報分離部と、
前記情報分離部によって分離された情報から番組の映像および音声を再生する映像・音声解析再生部とを備え、
地図表示処理部は、前記デジタル放送選局受信部、情報分離部および映像・音声解析再生部の少なくとも１つの出力に基づき、選局されている放送局の番組の受信状態を取得し、地図用プレーンに地図を描画中であれば、該取得した受信状態を表す情報を該地図に重畳して描画する
ことを特徴とする請求項１から請求項５のうちのいずれか１項記載のデジタル放送受信装置。
【請求項１０】
受信したデジタル放送波の中の選局された放送局に対応する周波数帯域を復調するデジタル放送選局受信部と、
前記デジタル放送選局受信部から出力される多重化された情報を分離する情報分離部と、
前記情報分離部によって分離された情報から番組の映像および音声を再生する映像・音声解析再生部とを備え、
地図表示処理部は、前記デジタル放送選局受信部、情報分離部および映像・音声解析再生部の少なくとも１つの出力に基づき受信状態を監視する受信状態監視制御部とを備え、
前記受信状態監視制御部は、地図用プレーンに地図を描画中に、選局されている放送局の番組の受信状態が悪化した場合に、前記デジタル放送選局受信部を制御することにより、受信可能な他の放送局の番組を探して選局させる
ことを特徴とする請求項１から請求項５のうちのいずれか１項記載のデジタル放送受信装置。
【請求項１１】
受信状態監視制御部は、映像・音声解析再生部によって、選局された放送局の番組が表示されているときに、該番組の受信状態が悪化した場合に、前記地図表示処理部に地図を表示させる
ことを特徴とする請求項１０記載のデジタル放送受信装置。
【請求項１２】
受信状態監視制御部は、地図表示処理によって地図が表示されているときに、選局された放送局の番組の受信状態が良好に復帰した場合に、映像・音声解析再生部に、選局された放送局の番組を表示させる
ことを特徴とする請求項１０記載のデジタル放送受信装置。
【請求項１３】
地図表示処理部で検出された位置情報に基づいて走行または停車を判定する走行／停車判定処理部を備え、
前記走行／停車判定処理部の判定結果に応じて、地図表示処理部による地図の表示と映像・音声解析再生部による番組の表示とを切り換える
ことを特徴とする請求項１から請求項５のうちのいずれか１項記載のデジタル放送受信装置。
【請求項１４】
走行／停車判定処理部により走行中と判定された場合、地図表示処理部は地図を表示する
ことを特徴とする請求項１３記載のデジタル放送受信装置。
【請求項１５】
走行／停車判定処理部により走行中と判定された場合、地図表示処理部は地図を表示し、映像・音声解析再生部は、選局された放送局の番組の音声を出力する
ことを特徴とする請求項１３記載のデジタル放送受信装置。
【請求項１６】
走行／停車判定処理部により走行中と判定された場合、映像・音声解析再生部は番組映像を縮小表示し、地図表示処理部は縮小表示された番組映像を地図に重畳する
ことを特徴とする請求項１３記載のデジタル放送受信装置。
【請求項１７】
走行／停車判定処理部により停車中と判定された場合、地図表示処理部は地図を非表示にする
ことを特徴とする請求項１３記載のデジタル放送受信装置。
【請求項１８】
走行／停車判定処理部により停車中と判定された場合、映像・音声解析再生部は番組映像を表示し、地図表示処理部は番組映像に縮小表示した地図を重畳する
ことを特徴とする請求項１３記載のデジタル放送受信装置。
【請求項１９】
文字情報に基づいて合成音声を出力する音声合成処理部を備え、
地図表示処理部は地図を表示している場合は、前記音声合成処理部は、受信したデータ放送情報に含まれる文字情報を抽出し、該抽出した文字情報に基づく合成音声を出力する
ことを特徴とする請求項１から請求項５または請求項１３のうちのいずれか１項記載のデジタル放送受信装置。
【発明の詳細な説明】
【技術分野】
【０００１】
この発明は、デジタル放送を受信するデジタル放送受信装置に関し、特に番組の映像と地図を切り換えて表示する技術に関する。
【背景技術】
【０００２】
従来、テレビ放送受信機能を有する移動体用装置が知られている（例えば、特許文献１参照）。この移動体用装置は、ナビゲーション装置を用いず、ＧＰＳ（Ｇｌｏｂａｌ  Ｐｏｓｉｔｉｏｎｉｎｇ  Ｓｙｓｔｅｍ）から受信した緯度および経度データに基づいて現在地を検出し、受信中の番組が受信不可能になると、現在地と受信中の番組の受信可能範囲を含む地図をテレビジョン受信機単体で表示する。
【０００３】
【特許文献１】特開２００４−１４０５２２号公報
【発明の開示】
【発明が解決しようとする課題】
【０００４】
しかしながら、上述した移動体用装置では、視聴中の番組が受信不可能になると地図を表示するように構成されているので、番組が受信良好な地域では、地図を見たくても見ることができないという問題点がある。
【０００５】
この発明は、上述した問題を解消するためになされたものであり、その課題は、番組の映像と地図とを好適なタイミングで切り換えて表示することができるデジタル放送受信装置を提供することにある。
【課題を解決するための手段】
【０００６】
この発明に係るデジタル放送受信装置は、上記課題を解決するために、地図を表示する地図表示処理部と、番組の映像および音声を再生する映像・音声解析再生部と、映像・音声解析再生部における処理の優先度が地図表示処理部における処理より高くなるように制御する処理優先度制御部と、動画表示用の動画プレーン、動画表示用以外の描画プレーンである地図用プレーンおよび動画プレーンの出力と地図用プレーンの出力とを合成して表示画面を生成する表示制御部とを備え、地図表示処理部は、地図用プレーンに地図を描画し、映像・音声解析再生部は、地図表示処理部により地図を表示中であっても番組の映像を再生して動画プレーンに描画し続ける。
【発明の効果】
【０００７】
この発明に係るデジタル放送受信装置によれば、地図と番組映像とを別の描画プレーンに描画し、地図表示中も番組映像を並列に再生出力し続けるとともに、地図描画処理よりもリアルタイム性がより強く要求される番組映像および音声の再生出力処理を優先するように構成したので、地図から番組映像に表示を切り替える場合に短時間で切り替えが可能になるとともに、番組映像の欠落や遅延の発生を防止でき、いつ映像に切り替えても正常な番組映像を表示できる。したがって、番組の映像と地図とを好適なタイミングで切り換えて表示することができる。
【発明を実施するための最良の形態】
【０００８】
以下、この発明の実施の形態を、図面を参照しながら詳細に説明する。
実施の形態１．
図１は、この発明の実施の形態１に係るデジタル放送受信装置の構成を示すブロック図である。このデジタル放送受信装置のハードウェア構成は、例えば家庭用のデジタルテレビジョン受信機と同様である。
【０００９】
このデジタル放送受信装置は、デジタル放送選局受信部１、情報分離部２、映像・音声解析再生部３、番組情報解析部４、番組表描画部５、字幕文字スーパー情報解析部６、字幕文字スーパー描画部７、データ放送情報解析部８、データ放送ブラウザ９、位置情報受信部１０、地図表示処理部１１、処理優先度制御部１５、表示制御部１６、音声出力部２４および表示出力部２５から構成されている。
【００１０】
これらの構成要素のうち、情報分離部２、映像・音声解析再生部３、番組情報解析部４、番組表描画部５、字幕文字スーパー情報解析部６、字幕文字スーパー描画部７、データ放送情報解析部８およびデータ放送ブラウザ９は、例えば映像および音声の分離または再生用の大規模集積回路等から構成されている。また、地図表示処理部１１、処理優先度制御部１５および表示制御部１６は、例えばマイクロコンピュータから構成されている。
【００１１】
デジタル放送選局受信部１は、例えば電波の受信回路、チューナーおよびデジタル復調用の大規模集積回路等から構成されており、地上デジタル放送波の受信、選局およびデジタル復調を行う。このデジタル放送選局受信部１で得られた信号は、トランスポートストリーム（ＴＳ：Ｔｒａｎｓｐｏｒｔ  Ｓｔｒｅａｍ）として情報分離部２に送られる。情報分離部２は、デジタル放送選局受信部１から送られてくるトランスポートストリームに多重化されている情報を分離する。この情報分離部２で分離された映像・音声情報は、映像・音声解析再生部３に送られ、番組情報は番組情報解析部４に送られ、字幕スーパー情報は字幕文字スーパー情報解析部６に送られ、データ放送情報はデータ放送情報解析部８に送られる。
【００１２】
映像・音声解析再生部３は、情報分離部２から送られてくる映像・音声情報を解析し、この解析結果に基づき番組映像を再生して表示制御部１６に送るとともに、番組音声を再生し、音声信号として音声出力部２４に送る。番組情報解析部４は、情報分離部２から送られてくる番組情報を解析し、この解析結果を番組表描画部５に送る。番組表描画部５は、番組情報解析部４から送られてくる解析結果に基づき番組表の画面イメージを生成して表示制御部１６に送り、番組表を描画する。
【００１３】
字幕文字スーパー情報解析部６は、情報分離部２から送られてくる字幕文字スーパー情報を解析し、この解析結果を字幕文字スーパー描画部７に送る。字幕文字スーパー描画部７は、字幕文字スーパー情報解析部６から送られてくる解析結果に基づき字幕文字スーパーの画面イメージを生成して表示制御部１６に送り、字幕または文字スーパーを描画する。
【００１４】
データ放送情報解析部８は、情報分離部２から送られてくるデータ放送情報を解析し、この解析結果をデータ放送ブラウザ９に送る。データ放送ブラウザ９は、データ放送情報解析部８から送られてくる解析結果に基づきデータ放送で閲覧可能な画面イメージを生成して表示制御部１６に送り、デジタル放送の画面を描画する。
【００１５】
位置情報受信部１０は、例えばＧＰＳアンテナおよびＧＰＳ受信機等から構成されており、人工衛星（ＧＰＳ衛星）からの電波を受信して緯度、経度および高度等を算出する。この位置情報受信部１０で算出された緯度、経度および高度等は、位置情報として地図表示処理部１１に送られる。
【００１６】
地図表示処理部１１は、指定位置付近の地図を表示するための処理を実行する。この地図表示処理部１１は、自車位置検出部１２、地図データ読出部１３および地図描画部１４から構成されている。自車位置検出部１２は、位置情報受信部１０から送られてくる位置情報に基づき自車の現在位置を検出する。この自車位置検出部１２で検出された自車位置は、地図データ読出部１３および地図描画部１４に送られる。
【００１７】
地図データ読出部１３は、図示しない記憶装置に記憶されている地図データの中から指定範囲の地図データを読み出し、地図描画部１４に送る。地図描画部１４は、地図データ読出部１３から送られてくる地図データに基づき地図の画面イメージを生成して表示制御部１６に送り、地図を描画する。
【００１８】
処理優先度制御部１５は、映像・音声解析再生部３における処理と地図表示処理部１１における処理の優先度を制御する。表示制御部１６は、番組映像等の表示画面を生成する処理を実行する。この表示制御部１６は、動画プレーン１７、静止画プレーン１８、文字図形プレーン１９、字幕プレーン２０、第１ＯＳＤ（Ｏｎ  Ｓｃｒｅｅｎ  Ｄｉｓｐｌａｙ）プレーン２１、第２ＯＳＤプレーン２２および合成処理制御部２３から構成されている。この発明の「地図用プレーン」は、静止画プレーン１８、文字図形プレーン１９、字幕プレーン２０、第１ＯＳＤプレーン２１および第２ＯＳＤプレーン２２の中の少なくとも１つから構成されている。
【００１９】
動画プレーン１７は、映像・音声解析再生部３から送られてくる映像を表す情報に基づき番組映像を描画する。この動画プレーン１７で描画された番組映像を表すデータは、合成処理制御部２３に送られる。静止画プレーン１８は、データ放送ブラウザ９から送られてくるデータ放送の閲覧可能な画面イメージデータに基づき静止画を描画する。この静止画プレーン１８で描画された静止画を表すデータは、合成処理制御部２３に送られる。
【００２０】
文字図形プレーン１９は、データ放送ブラウザ９から送られてくる情報に基づき文字または図形を描画する。この文字図形プレーン１９で描画された文字または図形を表すデータは、合成処理制御部２３に送られる。字幕プレーン２０は、字幕文字スーパー描画部７から送られてくる字幕文字スーパーの画面イメージデータに基づき字幕または文字スーパーを描画する。この字幕プレーン２０で描画された字幕または文字スーパーを表すデータは、合成処理制御部２３に送られる。
【００２１】
第１ＯＳＤプレーン２１は、汎用的な描画を行うために使用される。この実施の形態１に係るデジタル放送受信装置では、第１ＯＳＤプレーン２１は、番組表描画部５から送られてくる番組表の画面イメージデータに基づき番組表を描画する。この第１ＯＳＤプレーン２１で描画された番組表を表すデータは、合成処理制御部２３に送られる。第２ＯＳＤプレーン２２は、汎用的な描画を行うために使用される。この実施の形態１に係るデジタル放送受信装置では、第２ＯＳＤプレーン２２は、地図表示処理部１１の地図描画部１４から送られてくる地図の画面イメージデータに基づき地図を描画する。この第２ＯＳＤプレーン２２で描画された地図を表すデータは、合成処理制御部２３に送られる。
【００２２】
合成処理制御部２３は、動画プレーン１７、静止画プレーン１８、文字図形プレーン１９、字幕プレーン２０、第１ＯＳＤプレーン２１および第２ＯＳＤプレーン２２から送られてくるデータに基づき描画内容を合成する制御を実行する。この合成処理制御部２３で合成された描画内容は、映像信号として表示出力部２５に送られる。
【００２３】
音声出力部２４は、例えば音声信号回路およびスピーカ等から構成されており、映像・音声解析再生部３から送られてくる音声信号に基づき、音声を出力する。表示出力部２５は、例えば映像信号回路および液晶表示器等から構成されており、表示制御部１６の合成処理制御部２３から送られてくる映像信号に基づき表示画面を出力する。
【００２４】
なお、上記のように構成されるデジタル放送受信装置は、図示しないリモートコントローラ（以下、「リモコン」と略する）によって操作され、リモコン受光部は、液晶表示器に内蔵されている。
【００２５】
図２は、表示制御部１６を構成する描画プレーンの論理的な重なりを説明するための図である。デジタル放送受信機では、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人  電波産業会）の標準規格に準拠することが一般的であり、ＡＲＩＢ標準規格には、表１に示す５つの描画プレーンが規定されている。
【表１】
2008294952.tif 000003
【００２６】
図２の上側に配置されている描画プレーンに不透過色で描画すれば、下側に配置される描画プレーンは隠されて見えなくなる。なお、図１に示す第１第１ＯＳＤプレーン２１と第２ＯＳＤプレーン２２はＡＲＩＢの標準規格では規定されていないが、機器独自のメニュー画面等を表示するための描画プレーンであり、デジタル放送受信装置では一般的に用意されている場合が多い。この実施の形態１に係るデジタル放送受信装置では、字幕プレーンの上側に第２ＯＳＤプレーン２２が配置され、最上位に第１ＯＳＤプレーン２１が配置されている。
【００２７】
次に、上記のように構成される、この発明の実施の形態１に係るデジタル放送受信装置の動作を、いくつかの主要な動作に分けて説明する。
（１−１）デジタル放送の受信
デジタル放送選局受信部１は、ＵＨＦ（Ｕｌｔｒａ  Ｈｉｇｈ  Ｆｒｅｑｕｅｎｃｙ）帯の１３〜６２チャンネルで放送される地上デジタルテレビジョン放送波を受信し、リモコンによって指定されたチャンネルを選局し、この選局されたチャンネルに対応するデジタル変調された信号をデジタル復調し、トランスポートストリームとして情報分離部２に送る。
【００２８】
情報分離部２は、トランスポートストリーム内に多重化されている各種情報を解析し、分離して出力する。ここで、トランスポートストリームは、ＭＰＥＧ−２（Ｍｏｖｉｎｇ  Ｐｉｃｔｕｒｅ  Ｅｘｐｅｒｔｓ  Ｇｒｏｕｐ）規格とＡＲＩＢ標準規格に準拠して、映像および音声または番組情報等を多重化したデータ列である。映像・音声解析再生部３は、情報分離部２から送られてくる映像・音声情報を解析し、映像および音声に適した方式でデコードし、番組映像と番組音声として、表示制御部１６および音声出力部２４にそれぞれ送る。
【００２９】
番組情報解析部４は、情報分離部２から送られてくる番組情報（放送局名、番組名、番組説明、放送日時、放送開始終了時刻等）を解析し、後段で処理し易いよう整形して番組表描画部５に送る。番組表描画部５は、番組情報解析部４の出力を用いて、番組表の画面イメージを生成して表示制御部１６に送り、番組表を描画する。番組表は、各放送局で、いつ、どんな番組が放送されるかを表形式で表現したものであり、新聞のテレビ欄と同様の形式を有する。
【００３０】
字幕文字スーパー情報解析部６は、情報分離部２から送られてくる字幕文字スーパー情報を解析し、後段で処理し易いよう整形して出力する。なお、字幕は番組内容に連動した文字情報であり、一般に、画面下部に表示される。一方、文字スーパーは番組内容と連動しない文字情報（緊急警報放送等）であり、一般に、画面の上部に表示される。字幕文字スーパー描画部７は、字幕文字スーパー情報解析部６の出力を用いて、字幕または文字スーパーの画面イメージを生成して表示制御部１６に送り、字幕または文字スーパーを描画する。
【００３１】
データ放送情報解析部８は、情報分離部２から送られてくるデータ放送情報を解析し、後段で処理し易いよう整形してデータ放送ブラウザ９に送る。データ放送ブラウザ９は、データ放送情報解析部８の出力を用いて、データ放送の画面イメージを生成して表示制御部１６に送り、デジタル放送の画面を描画する。
【００３２】
（１−２）地図の表示
位置情報受信部１０は、ＧＰＳ衛星からの電波を受信して緯度、経度および高度等から成る位置情報を計算し、これを文字列として地図表示処理部１１へ送る。地図表示処理部１１を構成する自車位置検出部１２は、位置情報受信部１０から文字列で送られてくる位置情報を解析し、緯度および経度の各々を、例えば１秒単位の数値に変換して自車位置の座標として地図データ読出部１３および地図描画部１４に送る。
【００３３】
地図データ読出部１３は、自車位置検出部１２から送られてくる自車位置の座標に基づいて、図示しないビットマップ地図データの記憶装置から、自車位置周辺のビットマップ地図データを読み出し、地図描画部１４に送る。地図描画部１４は、自車位置検出部１２から送られてくる自車位置の座標と、地図データ読出部１３から送られてくる自車位置周辺のビットマップ地図データを用いて、自車を中心とした地図の画面イメージを生成して表示制御部１６に送り、地図を描画する。
【００３４】
（１−３）処理優先度の制御
次に、この発明の実施の形態１に係るデジタル放送受信装置の重要な構成要素である処理優先度制御部１５の動作について説明する。処理優先度制御部１５は、映像・音声解析再生部３における処理と地図表示処理部１１における処理の優先度を、式（１）に示すように制御する。
映像・音声解析再生部の処理優先度＞地図表示処理部の処理優先度…（１）
【００３５】
映像・音声解析再生部３および地図表示処理部１１は、タスクを用いて実装されることが一般的であり、処理優先度制御部１５は、ＯＳ（Ｏｐｅｒａｔｉｎｇ  Ｓｙｓｔｅｍ）のタスク優先度制御機能を利用して式（１）の機能を実現している。タスクは独立して実行可能な処理の単位であり、組込機器向けＯＳでは一般的である。タスクとタスクスケジューラとを組み合わせることにより、擬似的な並列処理を実現している。
【００３６】
処理優先度制御部１５が式（１）に従って優先度を制御することにより、地図表示処理部１１が地図を表示中であっても、映像・音声解析再生部３は番組映像および番組音声の再生を遅滞なく実行できる。
【００３７】
（１−４）表示処理
次に、処理優先度制御部１５と同様に、この発明の実施の形態１に係るデジタル放送受信装置の重要な構成要素である表示制御部１６の動作について説明する。表示制御部１６は、図２に示したＡＲＩＢ標準規格に準拠した動画プレーン１７、静止画プレーン１８、文字図形プレーン１９および字幕プレーン２０に加えて、独自の第１ＯＳＤプレーン２１および第２ＯＳＤプレーン２２といった描画プレーンを備えている。なお、ＡＲＩＢ標準規格に準拠した各描画プレーンの概要については表１に示す通りである。
【００３８】
動画プレーン１７は、映像・音声解析再生部３の出力である番組映像の画面イメージを格納する。放送局側の指定により１秒間に３０枚の割合で番組映像が送られる場合、動画プレーン１７は１秒間に３０回の割合で描画を繰り返す。静止画プレーン１８は、データ放送ブラウザ９の出力である静止画の画面イメージを格納し、一般的にデータ放送画面の背景画像等の描画に用いられる。
【００３９】
文字図形プレーン１９は、データ放送ブラウザ９の出力である文字や図形の画面イメージを格納し、一般的にボタンや文字入力ボックス等の描画に用いられる。字幕プレーン２０は、字幕文字スーパー描画部７の出力である字幕または文字スーパーの画面イメージを格納する。第１ＯＳＤプレーン２１は、番組表描画部５の出力である番組表の画面イメージを格納する。第２ＯＳＤプレーン２２は、地図表示処理部１１の出力である地図の画面イメージを格納する。
【００４０】
合成処理制御部２３は、動画プレーン１７、静止画プレーン１８、文字図形プレーン１９、字幕プレーン２０、第１ＯＳＤプレーン２１および第２ＯＳＤプレーン２２に格納されている画面イメージを合成して、ユーザに提示する画面イメージを出力する。
【００４１】
（１−５）画面イメージの合成
次に、表示制御部１６の合成処理制御部２３が動画プレーン１７による番組映像の画面イメージと第２ＯＳＤプレーン２２の地図の画面イメージを合成する合成処理を中心に、図３に示すフローチャートを参照しながら説明する。
【００４２】
合成処理では、まず、描画カウンタ値が０に初期化される（ステップＳＴ１）。すなわち、合成処理制御部２３は、自己の内部に設けられた図示しない描画カウンタで計数される描画カウンタ値を０に初期化する。描画カウンタ値は、描画周期（例えば１／６０秒毎）の繰り返し回数を把握するためのものである。次いで、描画カウンタ値が読み出される（ステップＳＴ２）。すなわち、合成処理制御部２３は、描画カウンタから描画カウンタ値を読み出す。
【００４３】
次いで、ステップＳＴ３〜ステップＳＴ５において、番組映像の画面イメージを合成する処理が行われる。この処理では、まず、動画プレーンの更新時期であるかどうかが調べられる（ステップＳＴ３）。すなわち、合成処理制御部２３は、描画カウンタ値に基づいて、動画プレーン１７の更新時期か否かを調べる。例えば、描画カウンタ値が偶数なら更新時期と判断し、奇数なら更新時期でないと判断する。
【００４４】
このステップＳＴ３において、動画プレーンの更新時期であることが判断されると、次いで、動画プレーンの出力が合成される（ステップＳＴ４）。すなわち、合成処理制御部２３は、動画プレーン１７に格納されている画面イメージを読み出して合成する。この例では、１／６０秒×２回＝１／３０秒周期で動画（番組映像）が更新される。その後、シーケンスはステップＳＴ６に進む。
【００４５】
一方、上記ステップＳＴ３において、動画プレーンの更新時期でないことが判断されると、前回の動画プレーンの出力が保持される（ステップＳＴ５）。すなわち、合成処理制御部２３は、動画プレーン１７の前回の画面イメージを保持して合成する。したがって、この場合は、動画（番組映像）は更新されない。その後、シーケンスはステップＳＴ６に進む。
【００４６】
次に、ステップＳＴ６〜ステップＳＴ１１において、地図の画面イメージを合成する処理が行われる。この処理では、まず、第２ＯＳＤプレーンの表示フラグが読み出される（ステップＳＴ６）。すなわち、合成処理制御部２３は、第２ＯＳＤプレーン２２の表示フラグを読み出す。第２ＯＳＤプレーン２２の表示フラグは、地図表示処理部１１によって、例えば、地図表示中であれば“真”、地図非表示中であれば“偽”に設定される。
【００４７】
次いで、第２ＯＳＤプレーンを表示するかどうかが調べられる（ステップＳＴ７）。すなわち、合成処理制御部２３は、第２ＯＳＤプレーン２２の表示フラグに基づいて、第２ＯＳＤプレーン２２を表示するか否かを調べる。この場合、第２ＯＳＤプレーン２２の表示フラグが“真”ならば地図表示中であるので第２ＯＳＤプレーン２２を表示すると判断され、“偽”ならば地図非表示中であるので第２ＯＳＤプレーン２２を表示しないと判断される。
【００４８】
このステップＳＴ７において、第２ＯＳＤプレーンを表示することが判断されると、次いで、第２ＯＳＤプレーンの更新時期であるかどうかが調べられる（ステップＳＴ８）。すなわち、合成処理制御部２３は、描画カウンタ値に基づいて、第２ＯＳＤプレーン２２の更新時期か否かを調べる。例えば、描画カウンタ値が１０の倍数ならば更新時期と判断し、１０の倍数以外ならば更新時期でないと判断する。
【００４９】
このステップＳＴ８において、第２ＯＳＤプレーンの更新時期であることが判断されると、第２ＯＳＤプレーンのシーケンスが合成される（ステップＳＴ９）。すなわち、合成処理制御部２３は、第２ＯＳＤプレーン２２に格納されている地図の画面イメージを読み出して合成する。この例では、１／６０秒×１０回＝１／６秒周期で地図が更新表示されることになる。その後、シーケンスはステップＳＴ１２に進む。
【００５０】
一方、ステップＳＴ８において、第２ＯＳＤプレーンの更新時期でないことが判断されると、前回の第２ＯＳＤプレーンのシーケンスが保持される（ステップＳＴ１０）。すなわち、合成処理制御部２３は、第２ＯＳＤプレーン２２の前回の画面イメージを保持して合成する。したがって、この場合は、前回と同じ地図が表示される。その後、シーケンスはステップＳＴ１２に進む。
【００５１】
上記ステップＳＴ７において、第２ＯＳＤプレーンを表示しないことが判断されると、第２ＯＳＤプレーンの出力は合成されない（ステップＳＴ１１）。すなわち、地図非表示中と判断された場合は、合成処理制御部２３は、第２ＯＳＤプレーン２２画面イメージを合成しない。したがって、この場合は、地図は表示されない。その後、シーケンスはステップＳＴ１２に進む。
【００５２】
ステップＳＴ１２においては、合成された表示画面が出力される。すなわち、合成処理制御部２３は、動画プレーン１７と第２ＯＳＤプレーン２２を合成して表示画面を生成し、表示信号として表示出力部２５に送る。次いで、描画カウンタ値がインクリメントされる（ステップＳＴ１３）。すなわち、合成処理制御部２３は描画周期の経過を記憶するために、描画カウンタ値をインクリメント（＋１）する。
【００５３】
次いで、描画カウンタ値が６０以上であるかどうかが調べられる（ステップＳＴ１４）。すなわち、合成処理制御部２３は、描画カウンタ値が６０以上であるかどうかを調べる。このステップＳＴ１４において、描画カウンタ値が６０以上であることが判断されると、描画カウンタのオーバーフローを防ぐために、描画カウンタ値が０に再初期化される（ステップＳＴ１５）。その後、シーケンスはステップＳＴ２に戻り、上述した処理が繰り返される。一方、ステップＳＴ１４において、描画カウンタ値が６０未満であることが判断されると、シーケンスはステップＳＴ２へ戻り、上述した処理が繰り返される。
【００５４】
なお、図３では、フローチャートの煩雑化を避けるために、動画プレーン１７と第２ＯＳＤプレーン２２の動作のみを記載し、その他の静止画プレーン１８、文字図形プレーン１９、字幕プレーン２０および第１ＯＳＤプレーン２１の動作については記載を省略しているが、これらの動作については、図３におけるステップＳＴ６〜ステップＳＴ１１と同様の処理を、静止画プレーン１８、文字図形プレーン１９、字幕プレーン２０、第１ＯＳＤプレーン２１について実行するだけである。
【００５５】
音声出力部２４は、映像・音声解析再生部３から送られてくるデジタルの音声信号をアナログの音声信号に変換し、振幅を調整して、スピーカから音声として出力する。この処理は、一般のデジタルオーディオ機器における処理と同様である。表示出力部２５は、映像・音声解析再生部３から表示制御部１６を経由して送られてくる映像信号をＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）信号に変換し、色調および輝度を調整して、液晶表示器により映像として出力する。この処理は、一般のデジタル映像機器における処理と同様である。
【００５６】
（１−６）リモコンによる地図の表示切替
地図の表示／非表示の切り替え操作については、リモコン（図示しない）に地図表示切替の専用ボタン（地図ボタン）を設けておき、地図ボタンを押下する毎に、地図を表示／非表示するようにトグル式に表示切替する。
【００５７】
以上説明したように、この発明の実施の形態１に係るデジタル放送受信装置によれば、地図と番組映像とを別の描画プレーンに描画し、地図表示中も番組映像を並列に再生出力し続けるとともに、地図描画処理よりもリアルタイム性がより強く要求される番組映像および音声の再生出力処理を優先するように構成したので、地図から番組映像に表示を切り替える場合に短時間で切り替えが可能になるとともに、番組映像の欠落や遅延の発生を防止でき、いつ映像に切り替えても正常な番組映像を表示できる。さらには、地図表示中も音飛び等がない正常な番組音声を出力できる。
【００５８】
また、地図表示中も番組音声の再生出力を継続するように構成したので、地図表示中に番組内容を音声により把握できるとともに、番組音声の欠落や遅延の発生を防止できる。さらに、リモコンに地図ボタンを設けることにより、簡単な操作で地図の表示／非表示を切り替えることが可能となり、使い勝手が向上する。
【００５９】
実施の形態２．
図４は、この発明の実施の形態２に係るデジタル放送受信装置の構成を示すブロック図である。このデジタル放送受信装置は、図１に示した実施の形態１に係るデジタル放送受信装置の表示制御部１６から地図専用に使用されていた第２ＯＳＤプレーン２２が除去され、地図および番組表の描画プレーンとして第１ＯＳＤプレーン２１を共用するための排他制御部２６が追加されて構成されている。
【００６０】
以下においては、実施の形態１に係るデジタル放送受装置の構成要素と同一または相当する構成要素には、実施の形態１で使用した符号と同一の符号を付して説明を省略し、異なる部分を中心に説明する。
【００６１】
排他制御部２６は、地図表示処理部１１の地図描画部１４から第１ＯＳＤプレーン２１に対する描画要求と、番組表描画部５から第１ＯＳＤプレーン２１に対する描画要求とを排他制御する。すなわち、  排他制御部２６は、番組表描画部５と地図表示処理部１１のどちらか一方だけが第１ＯＳＤプレーン２１に描画できるよう排他制御する。
【００６２】
次に、上記のように構成される、この発明の実施の形態２に係るデジタル放送受信装置の動作を、排他制御部２６によって行われる排他制御処理を中心に、図５に示すフローチャートを参照しながら説明する。
【００６３】
排他制御処理では、まず、排他制御部２６は、第１ＯＳＤプレーン２１用のミューテックスを生成する（ステップＳＴ１６）。ここで、ミューテックスとは、複数のタスクが１つの資源（この場合は第１ＯＳＤプレーン２１に相当）にアクセスする際の排他制御を実現する仕組みであり、一般的にＯＳ標準の仕組みとして用意されている。次いで、排他制御部２６は、ミューテックスを未使用状態に初期化する。（ステップＳＴ１７）。
【００６４】
次いで、第１ＯＳＤプレーン２１に対する要求があるか否かが調べられる（ステップＳＴ１８）。すなわち、要求元（この場合は番組表描画部５と地図表示処理部１１が相当する）が、メッセージにより要求を排他制御部２６へ通知するので、排他制御部２６は、メッセージが届いているかを確認する。メッセージ送受信の仕組みについては、ＯＳで用意されていることが一般的である。
【００６５】
このステップＳＴ１８において、第１ＯＳＤプレーン２１に対する要求がないことが判断されると、このステップＳＴ１８を繰り返し実行しながら待機する。一方、ステップＳＴ１８において、第１ＯＳＤプレーン２１に対する要求があることが判断されると、要求が読まれて解析される（ステップＳＴ１９）。すなわち、排他制御部２６は、第１ＯＳＤプレーン２１に対する要求を読み、要求内容を解析する。要求内容については、メッセージに識別値を付与しておき、この識別値で判断するように構成できる。
【００６６】
次いで、要求内容が調べられる（ステップＳＴ２０）。すなわち、排他制御部２６は、要求内容に応じて処理を振り分ける。ここで、要求内容が第１ＯＳＤプレーン２１の使用権獲得であることが判断されるとシーケンスはステップＳＴ２１へ進み、第１ＯＳＤプレーン２１の使用権解放であることが判断されるとシーケンスはステップＳＴ２４へ進み、第１ＯＳＤプレーン２１への描画であることが判断されるとシーケンスはステップＳＴ２７へ進む。
【００６７】
（２−１）プレーン使用権の獲得
使用権の獲得要求に対応するステップＳＴ２１においては、排他制御部２６は、ミューテックスが未使用状態であるかどうかを調べる。このステップＳＴ２１において、ミューテックスが未使用状態であることが判断されると、要求元に獲得成功が報知される（ステップＳＴ２２）。すなわち、排他制御部２６は、ミューテックスを使用状態に設定するとともに、要求元の識別値を記憶し、要求元に第１ＯＳＤプレーン２１の使用権の獲得成功をメッセージで通知する。要求元の識別値については、メッセージに要求元の識別値（要求元のタスクに対してＯＳが割り当てた固有値）を付与しておく。使用権の獲得に成功した要求元は第１ＯＳＤプレーン２１への描画が可能となる。その後、シーケンスはステップＳＴ１８に戻り、上述した処理が繰り返される。
【００６８】
上記ステップＳＴ２１において、ミューテックスが未使用状態でないことが判断されると、要求元に獲得失敗が報知される（ステップＳＴ２３）。すなわち、排他制御部２６は、ミューテックスが使用済み状態であるので、要求元に第１ＯＳＤプレーン２１の使用権の獲得失敗をメッセージで通知する。その後、シーケンスはステップＳＴ１８へ戻り、上述した処理が繰り返される。使用権の獲得に失敗した要求元は、第１ＯＳＤプレーン２１への描画が不可能になる。
【００６９】
（２−２）プレーン使用権の解放
使用権の解放要求に対応するステップＳＴ２４においては、排他制御部２６は、ミューテックスが使用状態であるかどうかを調べる。このステップＳＴ２４において、ミューテックスが使用状態であることが判断されると、要求元に解放成功が報知される（ステップＳＴ２５）。すなわち、排他制御部２６は、ミューテックスを未使用状態に設定するとともに、記憶している要求元の識別値を消去し、要求元に第１ＯＳＤプレーン２１の使用権の解放成功をメッセージで通知する。その後、シーケンスはステップＳＴ１８へ戻り、上述した処理が繰り返される。第１ＯＳＤプレーン２１の使用権が解放されることにより、他の要求元から第１ＯＳＤプレーン２１への描画が可能となる。
【００７０】
上記ステップＳＴ２４において、ミューテックスが使用状態でないことが判断されると、要求元に解放失敗が報知される（ステップＳＴ２６）。すなわち、排他制御部２６は、排他制御部２６はミューテックスが未使用状態であるので、要求元に第１ＯＳＤプレーン２１の使用権の解放失敗をメッセージで通知する。その後、シーケンスはステップＳＴ１８へ戻り、上述した処理が繰り返される。
【００７１】
（２−３）プレーンへの描画
第１ＯＳＤプレーン２１への描画に対応するステップＳＴ２７においては、要求元に使用権があるかどうかが調べられる。すなわち、排他制御部２６は、要求元が第１ＯＳＤプレーン２１の使用権を持っているか調べる。要求元に第１ＯＳＤプレーン２１の使用権があるかを確認する方法については、メッセージに要求元の識別値を付けておき、ステップＳＴ２２で記憶した要求元の識別値を比較し、同じ値であれば要求元に使用権あり、異なる値であれば要求元に使用権なしと判断するように構成できる。
【００７２】
このステップＳＴ２７において、要求元に使用権がないことが判断されると描画要求は無視され、シーケンスはステップＳＴ１８へ戻って上述した処理が繰り返される。一方、ステップＳＴ２７において、要求元に使用権があることが判断されると、要求に従って描画が実行される（ステップＳＴ２８）。すなわち、要求元は、排他制御部２６からの許可に応じて、第１ＯＳＤプレーン２１への描画を実行する。
【００７３】
以上説明したように、この発明の実施の形態１に係るデジタル放送受信装置によれば、排他制御部２６を設けることにより、番組表描画部５による第１ＯＳＤプレーン２１への描画と地図表示処理部１１による第１ＯＳＤプレーン２１への描画とを排他制御できるように構成したので、地図を描画するための専用描画プレーン（実施の形態１に係るデジタル放送受信装置における第２ＯＳＤプレーン２２）を省くことができ、デジタル放送受信装置を安価に構成できる。
【００７４】
実施の形態３．
図６は、この発明の実施の形態３に係るデジタル放送受信装置の構成を示すブロック図である。このデジタル放送受信装置は、図４に示した実施の形態２に係るデジタル放送受信装置の表示制御部１６の中の排他制御部２６と第１ＯＳＤプレーン２１との間に色テーブル切替制御部２７が追加されるとともに、第１ＯＳＤプレーン２１の機能が変更されて構成されている。
【００７５】
以下においては、実施の形態２に係るデジタル放送受装置の構成要素と同一または相当する構成要素には、実施の形態２で使用した符号と同一の符号を付して説明を省略し、異なる部分を中心に説明する。
【００７６】
第１ＯＳＤプレーン２１では、色テーブル形式により表示色を指定可能な色テーブル形式が採用されている点を除けば、実施の形態２に係るデジタル放送受信装置のそれと同じである。色テーブル切替制御部２７は、第１ＯＳＤプレーン２１で使用する色テーブルを切替制御する。具体的には、色テーブル切替制御部２７は、排他制御部２６からの指示に従って、番組表描画に適した色テーブルと地図描画に適した色テーブルを切り替えて、第１ＯＳＤプレーン２１の色テーブルとして設定する。
【００７７】
描画色は、一般に、透過度合いを規定するα値と、３原色である赤緑青の度合いを規定するＲＧＢ値の４つで決められる（「Ｒ」はＲｅｄ、「Ｇ」はＧｒｅｅｎ、「Ｂ」はＢｌｕｅを意味する）。色テーブルは、このαＲＧＢ値の組合せによって規定される膨大な色空間から、必要に応じて選択した２５６色に識別値を付与して管理するためのテーブルであり、Ｉｎｄｅｘ８と呼ばれる形式（８ビットの数値で２５６色に対応した識別値を表現可能なため）が普及している。αＲＧＢの各値は８ビットの数値で表現され、α＝０なら透明、α＝２５５なら不透明であり、ＲＧＢの各値が大きい程、赤緑青の色合いが強いことを示す。例えば、Ｒ＝Ｇ＝Ｂ＝０で規定される色は黒、Ｒ＝Ｇ＝Ｂ＝２５５で規定される色は白である。
【００７８】
次に、上記のように構成される、この発明の実施の形態３に係るデジタル放送受信装置の動作を、色テーブル切替制御部２７によって行われる色テーブル切替制御処理を中心に、図７に示すフローチャートを参照しながら説明する。
【００７９】
色テーブル切替制御処理では、まず、番組表用の色テーブルが生成される（ステップＳＴ２９）。すなわち、色テーブル切替制御部２７は、番組表を描画するのに適した２５６色の集合である色テーブル（番組表用の色テーブル）を生成する。次いで、地図用の色テーブルが生成される（ステップＳＴ３０）。すなわち、色テーブル切替制御部２７は、地図を描画するのに適した２５６色の集合である色テーブル（地図用の色テーブル）を生成する。
【００８０】
次いで、色テーブルの切替指示が有るかどうかが調べられる（ステップＳＴ３１）。すなわち、色テーブル切替制御部２７は、排他制御部２６からの色テーブル切替指示の有無を調べる。このステップＳＴ３１において、色テーブルの切替指示がないことが判断されると、このステップＳＴ３１を繰り返し実行しながら待機する。
【００８１】
このステップＳＴ３１の繰り返し実行による待機状態において、色テーブルの切替指示があることが判断されると、使用する色テーブルは番組表用であるかどうかが調べられる（ステップＳＴ３２）。すなわち、色テーブル切替制御部２７は、排他制御部２６の指示を解析し、使用する色テーブルが番組表用の色テーブルであるかどうかを調べる。なお、排他制御部２６は、第１ＯＳＤプレーン２１の使用権を番組表描画部５が取得した場合は番組表用の色テーブルを使用するように指示し、使用権を地図表示処理部１１が取得した場合には地図用の色テーブルを使用するように色テーブル切替制御部２７に指示する。
【００８２】
このステップＳＴ３２において、使用する色テーブルは番組表用であることが判断されると、第１ＯＳＤプレーンに番組表用の色テーブルが設定される（ステップＳＴ３３）。すなわち、色テーブル切替制御部２７は、上記ステップＳＴ２９で生成した番組表用の色テーブルを第１ＯＳＤプレーン２１の色テーブルとして設定する。その後、シーケンスはステップＳＴ３１へ戻り、上述した処理が繰り返される。
【００８３】
一方、ステップＳＴ３２において、使用する色テーブルは番組表用でないことが判断されると、地図用の色テーブルが使用される旨が認識され、第１ＯＳＤプレーンに地図用の色テーブルが設定される（ステップＳＴ３４）。すなわち、色テーブル切替制御部２７は、上記ステップＳＴ３０で生成した地図用の色テーブルを第１ＯＳＤプレーン２１の色テーブルとして設定する。その後、シーケンスはステップＳＴ３１へ戻り、上述した処理が繰り返される。
【００８４】
以上説明したように、この発明の実施の形態３に係るデジタル放送受信装置によれば、色テーブル切替制御部２７を設けて、排他制御部２６の指示により第１ＯＳＤプレーン２１に設定する色テーブルを番組表用と地図用で切り替えるように構成したので、第１ＯＳＤプレーン２１を同時表示可能な色数が最大２５６色である安価なハードウェアを用いて実現できるとともに、描画の色数を８ビットで表現することが可能になり画像メモリサイズを削減できる。例えば、色数を、各々が８ビットのＲＧＢで表現する場合に比べて、画像メモリサイズを１／３にすることができる。したがって、デジタル放送受信装置を、実施の形態２に係るデジタル放送受信装置よりもさらに安価に構成できる。
【００８５】
実施の形態４．
図８は、この発明の実施の形態４に係るデジタル放送受信装置の構成を示すブロック図である。このデジタル放送受信装置は、図１に示した実施の形態１に係るデジタル放送受信装置の表示制御部１６に第３ＯＳＤプレーン２８および描画同期処理部２９が追加されて構成されている。
【００８６】
以下においては、実施の形態１に係るデジタル放送受装置の構成要素と同一または相当する構成要素には、実施の形態１で使用した符号と同一の符号を付して説明を省略し、異なる部分を中心に説明する。
【００８７】
第３ＯＳＤプレーン２８は、地図上に表示する自車位置マーク、軌跡マークまたは登録地点マーク等を表示するための汎用的なプレーンであり、地図表示処理部１１の地図描画部１４から送られてくる自車位置マーク、軌跡マークまたは登録地点マーク等の画面イメージデータに基づきそれらを描画する。描画同期処理部２９は、地図表示処理部１１の地図描画部１４からの指示に応じて、第２ＯＳＤプレーン２２と第３ＯＳＤプレーン２８の描画時期を同期させる。
【００８８】
なお、地図表示処理部１１は、地図の画面イメージを第２ＯＳＤプレーン２２へ描画する直前に、描画同期処理部２９に同期開始を指示し、自車位置マーク、車両軌跡マークまたは登録地点マーク等の画面イメージを第３ＯＳＤプレーン２８へ描画した直後に、描画同期処理部２９に同期終了を指示する。
【００８９】
この実施の形態４に係るデジタル放送受信装置は、地図画像を第２ＯＳＤプレーン２２へ描画し、地図へ重畳させる自車位置マーク等を第３ＯＳＤプレーン２８へ描画するように、描画内容に応じて２枚の描画プレーンを使い分ける点が実施の形態１に係るデジタル放送受信装置と異なる。
【００９０】
次に、上記のように構成される、この発明の実施の形態４に係るデジタル放送受信装置の動作を、描画同期処理部２９によって行われる描画同期処理を中心に、図９に示すフローチャートを参照しながら説明する。
【００９１】
描画同期処理では、まず、同期状態が同期終了に初期化される（ステップＳＴ３５）。すなわち、描画同期処理部２９は、第２ＯＳＤプレーン２２と第３ＯＳＤプレーン２８の同期状態を保持する変数に同期終了を示す値を設定し、初期化する。次いで、地図表示処理部１１の同期指示を読み出す（ステップＳＴ３６）。すなわち、描画同期処理部２９は、地図表示処理部１１からの同期指示を格納したメッセージの読み出しを試みる。
【００９２】
次いで、同期指示があるかどうかが調べられる（ステップＳＴ３７）。すなわち、描画同期処理部２９は、ステップＳＴ３６でメッセージを読み出すことができたかどうかを調べる。このステップＳＴ３７において、同期指示がないことが判断されると、シーケンスはステップＳＴ３６に戻り、上述した処理が繰り返される。以下、ステップＳＴ３６およびステップＳＴ３７を繰り返し実行しながらメッセージの到着を待つ。
【００９３】
一方、ステップＳＴ３７において、同期指示があることが判断されると、次いで、指示内容は同期開始であるかどうかが調べられる（ステップＳＴ３８）。すなわち、描画同期処理部２９は、メッセージに格納されている指示内容が同期開始の指示であるかどうかを調べる。このステップＳＴ３８において、指示内容は同期開始であることが判断されると、同期開始処理が実行される。この同期開始処理では、まず、第２ＯＳＤプレーン２２から合成処理制御部２３への出力が禁止される（ステップＳＴ３９）。すなわち、描画同期処理部２９は、第２ＯＳＤプレーン２２の出力可否状態を保持する変数に出力禁止を示す値を設定し、第２ＯＳＤプレーン２２から合成処理制御部２３への画面イメージの出力を禁止する。
【００９４】
この状態で第２ＯＳＤプレーン２２の更新時期を迎えると、合成処理制御部２３は、第２ＯＳＤプレーン２２の出力可否状態を保持する変数の値により出力禁止状態であることを検知し、第２ＯＳＤプレーン２２から前回読み出して内部バッファに保持している画面イメージを用いて合成処理を行う。したがって、第２ＯＳＤプレーン２２が出力禁止状態の期間には、第２ＯＳＤプレーン２２の画面イメージは一定のまま保持される。
【００９５】
次いで、第３ＯＳＤプレーン２８から合成処理制御部２３への出力が禁止される（ステップＳＴ４０）。すなわち、描画同期処理部２９は、ステップＳＴ３９と同様の指示を第３ＯＳＤプレーン２８に与える。これにより、第３ＯＳＤプレーン２８が出力禁止の期間には、第３ＯＳＤプレーン２８の画面イメージも一定のまま保持される。その後、シーケンスはステップＳＴ３６に戻り、上述した処理が繰り返される。
【００９６】
上記ステップＳＴ３８において、指示内容は同期開始でないことが判断されると、同期終了の指示である旨が認識され、同期終了処理が実行される。この同期終了処理では、まず、第２ＯＳＤプレーン２２から合成処理制御部２３への出力が許可される（ステップＳＴ４１）。すなわち、描画同期処理部２９は、第２ＯＳＤプレーン２２出力可否状態を保持する変数に出力許可を示す値を設定し、第２ＯＳＤプレーン２２から合成処理制御部２３への画面イメージの出力を許可する。
【００９７】
この状態で第２ＯＳＤプレーン２２の更新時期を迎えると、合成処理制御部２３は第２ＯＳＤプレーン２２の出力可否状態を保持する変数の値により出力許可状態であることを検知して、第２ＯＳＤプレーン２２から画面イメージを読み出し、内部バッファに保持している画面イメージを更新した後に合成処理を行う。したがって、第２ＯＳＤプレーン２２が出力許可状態の期間には、第２ＯＳＤプレーン２２の画面イメージは更新時期になると最新状態に更新される。
【００９８】
次いで、第３ＯＳＤプレーン２８から合成処理制御部２３への出力が許可される（ステップＳＴ４２）。すなわち、描画同期処理部２９は、ステップＳＴ４１と同様の指示を第３ＯＳＤプレーン２８に与える。これにより、第２ＯＳＤプレーン２２が出力許可状態の期間には、第３ＯＳＤプレーン２８の画面イメージも更新時期になると最新状態に更新される。その後、シーケンスはステップＳＴ３６に戻り、上述した処理が繰り返される。
【００９９】
以上のように同期開始と同期終了を制御することで、第２ＯＳＤプレーン２２と第３ＯＳＤプレーン２８の画面イメージを同期して更新させることができる。
【０１００】
以上説明したように、この発明の実施の形態４に係るデジタル放送受信装置によれば、画面全体に表示される地図の画面イメージと、画面の一部のみに表示される自車位置マーク、車両軌跡マークまたは登録地点マーク等を別々の描画プレーンに描画するので、描画更新が必要な範囲を限定でき、描画更新に伴う処理負荷を低減できる。
【０１０１】
例えば、自車位置マークを画面中央に固定表示して、自車位置に応じて地図を自動スクロール表示させる動作を想定する。この場合、地図と自車位置マークを同一の描画プレーンに描画しようとすると、地図スクロールの度に地図描画に加えて自車位置マークの再描画も必要になるが、地図と自車位置マークを別の描画プレーンに描画すれば、自車位置マークは再描画の必要がなく地図だけを再描画すればよい。
【０１０２】
一方、車両軌跡マークや登録地点マークについては、地図スクロールに合わせて表示し直す必要がある。地図の描画と車両軌跡マークまたは登録地点等の描画を同期させないと、自車位置マークまたは登録地点等が地図上の正しい位置に表示されないことに加えて、地図スクロールと異なるタイミングで自車位置マークまたは登録地点等が再描画され表示位置が変わるため、非常に見難い画面となる。
【０１０３】
これに対し、実施の形態４に係るデジタル放送受信装置のように、地図の描画と車両軌跡マークまたは登録地点等の描画を同期させることにより、車両軌跡マークまたは登録地点マーク等が地図スクロールに同期して再描画され、正しい位置に表示される。
【０１０４】
実施の形態５．
図１０は、この発明の実施の形態５に係るデジタル放送受信装置の構成を示すブロック図である。このデジタル放送受信装置は、図１に示した実施の形態１に係るデジタル放送受信装置の番組情報解析部４と地図表示処理部１１との間の接続が追加されて構成されている。以下においては、実施の形態１に係るデジタル放送受装置の構成要素と同一または相当する構成要素には、実施の形態１で使用した符号と同一の符号を付して説明を省略し、異なる部分を中心に説明する。
【０１０５】
次に、上記のように構成される、この発明の実施の形態５に係るデジタル放送受信装置の動作を説明する。地図表示処理部１１は、リモコン（図示せず）から地図表示が指示されると、番組情報解析部４から選局中の番組に関する番組情報の取得を試みる。そして、番組情報を取得できると、地図表示処理部１１は、地図描画部１４に対して番組情報に含まれる番組名を地図に重畳表示するよう指示する。
【０１０６】
地図描画部１４は、地図表示処理部１１の指示に従って、番組名の画面イメージを作成し、地図の中央上部に重畳させて第２ＯＳＤプレーン２２に描画する。図１１は、地図の中央上部に番組名を重畳表示した場合の画面例を示す図である。
【０１０７】
以上説明したように、この発明の実施の形態５に係るデジタル放送受信装置によれば、地図表示中にＴＶ画面に切り替えることなく、選局中の番組に関する番組情報（番組名）を把握することが可能になる。
【０１０８】
実施の形態６．
この発明の実施の形態６に係るデジタル放送受信装置の構成は、図１０に示した実施の形態５に係るデジタル放送受信装置の構成と同じである。
【０１０９】
図１２は、実施の形態６に係るデジタル放送受信装置において、選局中の放送局のサービスエリアを地図上に表示する画面イメージを示す。図１２において、楕円形で示す部分はサービスエリアを示している。サービスエリアは、この発明の「放送局に関する地理的情報」に対応する。
【０１１０】
次に、この発明の実施の形態６に係るデジタル放送受信装置の動作を説明する。なお、このデジタル放送受信装置では、実施の形態５に係るデジタル放送受信装置で表示される選局中の番組名に代えて、選局中の放送局のサービスエリアを表示するだけであるので、以下では、実施の形態５に係るデジタル放送受信装置と異なる部分についてのみ説明する。
【０１１１】
地図表示処理部１１は、リモコン（図示せず）から地図表示が指示されると、番組情報解析部４から選局中の放送局に関する放送局情報の取得を試みる。そして、放送局情報を取得できると、地図表示処理部１１は、地図描画部１４に対して選局中の放送局のサービスエリアを地図に重畳表示するよう指示する。
【０１１２】
地図描画部１４は、地図表示処理部１１からの指示に従って、サービスエリアの画面イメージを作成し、地図の中央上部に重畳させて第２ＯＳＤプレーン２２に描画する。なお、サービスエリアについては、Ｄ−ｐａ（社団法人  地上デジタル放送推進協会）のホームページ（http://www.mapion.co.jp/custom/D-PA/）に公開されている。サービスエリアを表す情報は、この公開された技術を用いて、緯度および経度で表された点列から成る多角形データを作成し、フラッシュメモリ等の不揮発性のメモリに記憶しておけばよい。
【０１１３】
以上説明したように、この発明の実施の形態６に係るデジタル放送受信装置によれば、地図表示中にＴＶ画面に切り替えることなく、選局中の放送局のサービスエリアを把握することが可能になる。その結果、受信状態が悪化した場合には、ユーザはどの局を選局すればよいか等の適切な操作を容易に判断できる。
【０１１４】
実施の形態７．
図１３は、この発明の実施の形態７に係るデジタル放送受信装置の構成を示すブロック図である。このデジタル放送受信装置は、図１に示した実施の形態１に係るデジタル放送受信装置のデータ放送情報解析部８と地図表示処理部１１との間の接続が追加されて構成されている。以下においては、実施の形態１に係るデジタル放送受装置の構成要素と同一または相当する構成要素には、実施の形態１で使用した符号と同一の符号を付して説明を省略し、異なる部分を中心に説明する。
【０１１５】
次に、上記のように構成される、この発明の実施の形態７に係るデジタル放送受信装置の動作を説明する。地図表示処理部１１は、リモコン（図示せず）から地図表示が指示されると、データ放送情報解析部８に対して居住地域（家庭用のデジタルテレビジョン受信機では、初期設定の１項目として設定する場合が多い）の天気情報を取得するよう指示する。
【０１１６】
データ放送情報解析部８は、地図表示処理部１１からの指示に従って、受信中のトランスポートストリーム（ＴＳ）からＢＭＬ（Ｂｒｏａｄｃａｓｔｉｎｇ  Ｍａｒｋｕｐ  Ｌａｎｇｕａｇｅ）で記述されているデータ放送用の情報を抽出し、内容を解析して、居住地域の天気情報を地図表示処理部１１へ送る。地図表示処理部１１は、データ放送情報解析部８から現在地域の天気情報を取得すると、地図描画部１４に対して居住地域の天気情報を地図に重畳表示するよう指示する。地図描画部１４は、地図表示処理部１１の指示に従って、居住地域の天気情報の画面イメージを作成し、地図の中央右側に重畳させて第２ＯＳＤプレーン２２に描画する。図１４は、地図の中央右側に現在地域の天気情報を重畳表示した場合の画面例を示す図である。
【０１１７】
以上説明したように、この発明の実施の形態７に係るデジタル放送受信装置によれば、地図表示中にＴＶ画面（データ放送）に切り替えることなく、居住地域の天気情報を把握することが可能になる。
【０１１８】
実施の形態８．
図１５は、この発明の実施の形態８に係るデジタル放送受信装置の構成を示すブロック図である。このデジタル放送受信装置は、図１に示した実施の形態１に係るデジタル放送受信装置のデジタル放送選局受信部１と地図表示処理部１１との間、情報分離部２と地図表示処理部１１との間、および、映像・音声解析再生部３と地図表示処理部１１との間の接続が追加されて構成されている。以下においては、実施の形態１に係るデジタル放送受装置の構成要素と同一または相当する構成要素には、実施の形態１で使用した符号と同一の符号を付して説明を省略し、異なる部分を中心に説明する。
【０１１９】
次に、上記のように構成される、この発明の実施の形態８に係るデジタル放送受信装置の動作を説明する。地図表示処理部１１は、リモコン（図示せず）から地図表示を指示されると、デジタル放送選局受信部１、情報分離部２および映像・音声解析再生部３から放送受信状態の取得を試みる。そして、放送受信状態を取得できると、地図表示処理部１１は、地図描画部１４に対して放送受信状態を地図に重畳表示するよう指示する。
【０１２０】
地図描画部１４は、地図表示処理部１１からの指示に従って、放送受信状態の画面イメージを作成し、地図の右側上部に放送受信状態の画面イメージを重畳させて、第２ＯＳＤプレーン２２に描画する。放送受信状態を表す指標としては、受信電波の電界強度、デジタル復調した時のＢＥＲ（Ｂｉｔ  Ｅｒｒｏｒ  Ｒａｔｅ）、Ｃ／Ｎ比（Ｃａｒｒｉｅｒ／Ｎｏｉｓｅ）、トランスポートストリーム（ＴＳ）から各種情報を分離する際の誤り訂正符号との比較結果、映像または音声のデコード時のエラー発生率等を用いることができる。また、これらを算術的に組み合わせた指標を用いることもできる。
【０１２１】
図１６は、地図の右側上部に放送受信状態を重畳表示した場合の画面例を示す図である。放送受信状態を表す指標を３段階に分け、例えば携帯電話における表示で使用されているような、３本の柱で受信状態を示している。受信状態が最もよい場合には３本の柱が表示され、受信状態が悪くなるに伴って、柱の本数が減る。
【０１２２】
以上説明したように、この発明の実施の形態８に係るデジタル放送受信装置によれば、地図表示中にＴＶ画面に切り替えることなく、選局中の番組の受信状態を把握することが可能になる。
【０１２３】
実施の形態９．
図１７は、この発明の実施の形態９に係るデジタル放送受信装置の構成を示すブロック図である。このデジタル放送受信装置は、図１に示した実施の形態１に係るデジタル放送受信装置に受信状態監視制御部３０が追加されて構成されている。以下においては、実施の形態１に係るデジタル放送受装置の構成要素と同一または相当する構成要素には、実施の形態１で使用した符号と同一の符号を付して説明を省略し、異なる部分を中心に説明する。
【０１２４】
受信状態監視制御部３０は、デジタル放送選局受信部１、情報分離部２および映像・音声解析再生部３からの情報に基づき放送の受信状態を監視し、受信状態が悪化すると、選局中の放送局の系列局をサーチして選局するようにデジタル放送選局受信部１に指示する。また、受信状態監視制御部３０は、地図表示処理部１１から取得した情報に基づき地図表示中であるかどうかを判断し、地図表示中でなければ、系列局サーチの実行中であることを示す系列局サーチ画面を表示させる。
【０１２５】
次に、上記のように構成される、この発明の実施の形態９に係るデジタル放送受信装置の動作を、受信状態監視制御部３０によって行われる受信状態監視処理を中心に、図１８に示すフローチャートを参照しながら説明する。
【０１２６】
受信状態監視処理では、まず、受信状態の指標が取得される（ステップＳＴ４３）。すなわち、受信状態監視制御部３０は、デジタル放送選局受信部１、情報分離部２および映像・音声解析再生部３から受信状態を表す指標を取得する。この受信状態を表す指標としては、実施の形態８に係るデジタル放送受信装置で使用される指標と同一のものを用いることができる。
【０１２７】
次いで、受信状態は良好であるかどうかが調べられる（ステップＳＴ４４）。すなわち、受信状態監視制御部３０は、取得した受信状態を表す指標に基づいて、受信状態を判断する。この受信状態の判断は、市販の家庭用デジタルテレビジョン受信機等と同様の方法で行うことができる。このステップＳＴ４４において、受信状態は良好であることが判断されると、シーケンスはステップＳＴ４３に戻り、上述した受信状態を監視する処理が繰り返し実行される。
【０１２８】
一方、ステップＳＴ４４において、受信状態は良好でないことが判断されると、受信状態が悪化した旨が認識され、次いで、地図の表示状態が取得される（ステップＳＴ４５）。すなわち、受信状態監視制御部３０は、地図表示処理部１１に問い合わせることにより、地図の表示状態を取得する。次いで、地図表示中であるかどうかが調べられる（ステップＳＴ４６）。すなわち、受信状態監視制御部３０は、ステップＳＴ４５で取得した地図の表示状態に基づき、地図表示中であるかどうかを調べる。
【０１２９】
このステップＳＴ４６において、地図表示中であることが判断されると、系列局サーチ画面の表示指示が行われる（ステップＳＴ４７）。すなわち、受信状態監視制御部３０は、ユーザに系列局サーチの実行中であることを示すため、系列局サーチ描画処理（図示せず）に対して画面の表示を指示する。系列局サーチ描画処理は、この指示に基づいて系列局サーチ画面を生成し、例えば第１ＯＳＤプレーン２１に描画する。上記ステップＳＴ４６において、地図表示中でないことが判断されると、ステップＳＴ４７の処理はスキップされる。
【０１３０】
次いで、系列局のサーチが行われる（ステップＳＴ４８）。すなわち、受信状態監視制御部３０は、系列局サーチ処理（図示せず）に系列局サーチ処理を実行させる。系列局サーチの方法については、市販の車載用デジタルテレビジョン受信機と同様であるので説明を省略する。次いで、系列局が受信可能であるかどうかが調べられる（ステップＳＴ４９）。すなわち、受信状態監視制御部３０は、系列局サーチの実行結果を取得し、受信可能な系列局が見つかったかどうかを調べる。このステップＳＴ４９において、系列局が受信可能でない、つまり、受信可能な系列局が見つからなかったことが判断されると、シーケンスはステップＳＴ４３へ戻り、上述した受信状態の監視を継続する。
【０１３１】
一方、ステップＳＴ４９において、系列局が受信可能である、つまり、受信可能な系列局が見つかったことが判断されると、系列局の選局が行われる（ステップＳＴ５０）。すなわち、受信状態監視制御部３０は、見つかった系列局を選局するようにデジタル放送選局受信部１に指示を出す。
【０１３２】
以上説明したように、この発明の実施の形態９に係るデジタル放送受信装置によれば、地図表示中にもＴＶ画面に切り替えることなく、自動的に受信可能な系列局を探して受信することが可能になる。
【０１３３】
実施の形態１０．
この発明の実施の形態１０に係るデジタル放送受信装置の構成は、図１７に示した実施の形態９に係るデジタル放送受信装置の構成と同じである。
【０１３４】
次に、この発明の実施の形態１０に係るデジタル放送受信装置の動作を、受信状態監視制御部３０で行われる受信状態監視処理を中心に、図１９に示すフローチャートを参照しながら説明する。
【０１３５】
受信状態監視処理では、まず、受信状態の指標が取得される（ステップＳＴ５１）。このステップＳＴ５１の処理は、図１８に示すステップＳＴ４３の処理と同じである。次いで、地図の表示状態が取得される（ステップＳＴ５２）。このステップＳＴ５２の処理は、図１８に示すステップＳＴ４５の処理と同じである。次いで、受信状態は良好であるかどうかが調べられる（ステップＳＴ５３）。すなわち受信状態監視制御部３０は、図１８に示すステップＳＴ４４と同様の処理によって、受信状態が良好であるかどうかを調べる。
【０１３６】
このステップＳＴ５３において、受信状態は良好でないことが判断されると、受信状態が悪化した旨が認識され、次いで、地図表示中であるかどうかが調べられる（ステップＳＴ５４）。このステップＳＴ５４の処理は、図１８に示すステップＳＴ４６の処理と同じである。このステップＳＴ５４において、地図表示中でないことが判断されると、地図画面の表示が指示される（ステップＳＴ５５）。すなわち、受信状態監視制御部３０は、地図表示処理部１１に対して地図を表示するよう指示し、地図表示処理部１１は、この指示に従って自車位置周辺の地図画面を表示する。一方、上記ステップＳＴ５４において、地図表示中であることが判断されると、ステップＳＴ５５の処理はスキップされる。その後、シーケンスはステップＳＴ５１に戻り、上述した受信状態の監視が継続される。
【０１３７】
上記ステップＳＴ５３において、受信状態は良好であることが判断されると、次いで、地図表示中であるかどうかが調べられる（ステップＳＴ５６）。このステップＳＴ５６の処理は、上述したステップＳＴ５４の処理と同じである。このステップＳＴ５６において、地図表示中であることが判断されると、地図画面の非表示が指示される（ステップＳＴ５７）。すなわち、受信状態監視制御部３０は、地図表示処理部１１に対して表示中の地図画面を消すように指示する。一方、上記ステップＳＴ５６において、地図表示中でないことが判断されると、ステップＳＴ５７の処理はスキップされる。その後、シーケンスはステップＳＴ５１に戻り、上述した受信状態の監視が継続される。
【０１３８】
以上説明したように、この発明の実施の形態１０に係るデジタル放送受信装置によれば、次の効果を奏する。すなわち、従来の地図表示機能を持たないデジタルテレビジョン受信機では、番組が受信できない場合は「番組を受信できない」旨を表示する固定画面を表示し続けるので、ユーザは不満を募らせるが、この実施の形態１０に係るデジタル放送受信装置では、番組の受信状態が悪化すると自動的に自車周辺の地図を表示するので、ユーザの不満が低減される。また、選局中の番組の受信状態が悪化して地図画面表示になっても、受信状態が復帰すれば、自動的に地図画面からＴＶ画面へ切り替わるので、ユーザは操作しなくてもＴＶ画面を見ることができる。
【０１３９】
実施の形態１１．
図２０は、この発明の実施の形態１１に係るデジタル放送受信装置の構成を示すブロック図である。このデジタル放送受信装置は、図１に示した実施の形態１に係るデジタル放送受信装置に走行／停車判定処理部３１が追加されて構成されている。以下においては、実施の形態１に係るデジタル放送受装置の構成要素と同一または相当する構成要素には、実施の形態１で使用した符号と同一の符号を付して説明を省略し、異なる部分を中心に説明する。
【０１４０】
走行／停車判定処理部３１は、地図表示処理部１１の自車位置検出部１２から送られてくる自車位置を表す情報に基づき、車両が走行中であるか停車中であるかを判定する。この走行／停車判定処理部３１における判定結果は、地図表示処理部１１に送られる。
【０１４１】
次に、上記のように構成される、この発明の実施の形態１１に係るデジタル放送受信装置の動作を、走行／停車判定処理部３１によって行われる処理を中心に、図２１に示すフローチャートを参照しながら説明する。
【０１４２】
まず、自車位置の取得が試行される（ステップＳＴ５８）。すなわち、走行／停車判定処理部３１は、地図表示処理部１１内の自車位置検出部１２から自車位置の取得を試みる。次いで、自車位置を取得できたかどうかが調べられる（ステップＳＴ５９）。すなわち、走行／停車判定処理部３１は、自車位置検出部１２から自車位置を取得できたかどうかを調べる。
【０１４３】
このステップＳＴ５９において、自車位置を取得できなかったことが判断されると、シーケンスはステップＳＴ５８に戻り、上述した処理が繰り返される。一方、ステップＳＴ５９において、自車位置を取得できたことが判断されると、次いで、取得された自車位置が軌跡に追加される（ステップＳＴ６０）。すなわち、走行／停車判定処理部３１は、取得した最新の自車位置を軌跡に追加して記憶する。
【０１４４】
次いで、軌跡から移動速度が計算される（ステップＳＴ６１）。すなわち、走行／停車判定処理部３１は、自車位置の軌跡に基づいて移動速度を計算する。移動速度は、軌跡中の最新の位置座標から過去のＮ個（Ｎは正の整数）の位置座標を用いて位置変化量を平均することにより算出することができる。図２２に示す例（Ｎ＝２の場合）では、移動速度Ｖは、以下の式（２）で計算できる。
Ｖ2＝（（Ｘ０−Ｘ２）／２）2＋（（Ｙ０−Ｙ２）／２）2…（２）
【０１４５】
次いで、走行状態は走行中を示しているかどうかが調べられる（ステップＳＴ６２）。すなわち、走行／停車判定処理部３１は、ステップＳＴ６１で計算した移動速度Ｖに基づいて自車の走行状態を判定する。この場合、走行状態は、移動速度Ｖが所定の閾値以上であれば走行中と判定し、移動速度が該閾値未満であれば停車中と判定するように構成できる。なお、この実施の形態１１に係るデジタル放送受信装置では、速度の大小に基づいて走行中／停車中を判断するだけであるため、平方根の計算を省略して、Ｖ2のままで比較するように構成できる。      
【０１４６】
上記ステップＳＴ６２において、走行状態は走行中を示していることが判断されると、地図の表示状態が取得される（ステップＳＴ６３）。すなわち、走行／停車判定処理部３１は、地図表示処理部１１から地図表示状態を取得する。次いで、地図表示中であるかどうかが調べられる（ステップＳＴ６４）。すなわち、走行／停車判定処理部３１は、ステップＳＴ６３で取得した地図表示状態に基づき、地図表示中であるかどうかを調べる。
【０１４７】
このステップＳＴ６４において、地図表示中でないことが判断されると、番組映像を表示中である旨が認識され、地図画面の表示が指示される（ステップＳＴ６５）。すなわち、走行／停車判定処理部３１は、走行中かつ地図非表示中（番組映像を表示中）であるので走行操作制限を行い、地図表示処理部１１に対して地図を表示するよう指示を出す。地図表示処理部１１は、この指示に従って地図を表示する。したがって、番組映像は表示されなくなる。ステップＳＴ６４において、地図表示中であることが判断されると、番組映像を非表示中である旨が認識され、ステップＳＴ６５の処理はスキップされる。その後、シーケンスはステップＳＴ５８へ戻り、上述した処理が繰り返される。
【０１４８】
なお、この実施の形態１１に係るデジタル放送受信装置においても、上述した実施の形態１に係るデジタル放送受信装置と同様に、映像・音声解析再生部３は、地図表示中であっても番組映像および番組音声の再生を継続する。
【０１４９】
上記ステップＳＴ６２において、走行状態は走行中を示していない、つまり停車中であることが判断されると、地図の表示状態が取得される（ステップＳＴ６６）。このステップＳＴ６６の処理は、上述したステップＳＴ６３の処理と同じである。次いで、地図表示中であるかどうかが調べられる（ステップＳＴ６７）。すなわち、走行／停車判定処理部３１は、ステップＳＴ６６で取得した地図表示状態に基づき、地図表示中であるかどうかを調べる。
【０１５０】
このステップＳＴ６７において、地図表示中であることが判断されると、番組映像を非表示中である旨が認識され、地図画面の非表示が指示される（ステップＳＴ６８）。すなわち、走行／停車判定処理部３１は、停車中かつ地図表示中（番組映像を非表示中）であるので走行操作制限を解除して、地図表示処理部１１に対して地図を非表示するよう指示を出す。地図表示処理部１１は、この指示に従って地図を非表示にする。したがって、番組映像が表示される。ステップＳＴ６４において、地図表示中でないことが判断されると、番組映像を表示中である旨が認識され、ステップＳＴ６８の処理はスキップされる。その後、シーケンスはステップＳＴ５８へ戻り、上述した処理が繰り返される。
【０１５１】
以上説明したように、この発明の実施の形態１１に係るデジタル放送受信装置によれば、次の効果を奏する。すなわち、従来の車載用の放送受信機では、パーキングブレーキ信号に基づいて走行中／停車中を判定しているので、ユーザが面倒な配線作業を省略する事例が多く見られる。このような場合には、走行中／停車中の判定ができず、走行操作制限が掛からないため、安全運転を損なう恐れがある。
【０１５２】
これに対し、この実施の形態１１に係るデジタル放送受信装置では、ＧＰＳ受信機等で取得した位置情報の変化に基づいて走行中／停車中を判定することが可能となり、パーキングブレーキ信号を入力するための面倒な配線作業が不要なため、走行操作制限を確実に掛けることができ、安全運転に寄与することができる。
【０１５３】
また、従来の地図表示機能を持たないデジタルテレビジョン受信機では、走行中には「走行中であるので映像を表示しない」旨を表示するだけであるので、ユーザは不満を募らせるが、この実施の形態１１に係るデジタル放送受信装置では、走行中に自車周辺の地図を表示するので、ユーザの不満が低減される。
【０１５４】
さらに、走行中に伴う地図表示中でも、ユーザは選局した番組音声を聞き続けることができ、番組内容を把握できる。また、停車状態になると地図画面からＴＶ画面に自動的に切り替わるので、ユーザは操作せずにＴＶ画面を見ることができる。
【０１５５】
実施の形態１２．
図２３は、この発明の実施の形態１２に係るデジタル放送受信装置の構成を示すブロック図である。このデジタル放送受信装置は、図２０に示した実施の形態１１に係るデジタル放送受信装置において、走行／停車判定処理部３１と映像・音声解析再生部３との間の接続が追加されて構成されている。以下においては、実施の形態１１に係るデジタル放送受装置の構成要素と同一または相当する構成要素には、実施の形態１１で使用した符号と同一の符号を付して説明を省略し、異なる部分を中心に説明する。
【０１５６】
図２４は、動画プレーン１７と第２ＯＳＤプレーン２２を用いて地図と縮小動画を表示する場合の画面合成イメージを示す図である。なお、図２４においては、静止画プレーン１８、文字図形プレーン１９、字幕プレーン２０および第１ＯＳＤプレーン２１については、図面が煩雑になるため記載を省略している。
【０１５７】
次に、上記のように構成される、この発明の実施の形態１２に係るデジタル放送受信装置の動作を説明する。この実施の形態１２に係るデジタル放送受信装置の動作は、走行操作制限中に表示する画面として、地図画面の一部に縮小動画を表示する点が、実施の形態１１に係るデジタル放送受信装置の動作と異なるだけである。
【０１５８】
走行操作制限を掛ける場合、走行／停車判定処理部３１は、地図表示処理部１１および映像・音声解析再生部３に画面表示に関する指示を出す。地図表示処理部１１は、走行／停車判定処理部３１からの指示に従って走行操作制限中の地図画面を表示する場合、図２４に示す地図画面の一部（点線で囲って示す透過色設定範囲の部分）を透過色に設定し、第２ＯＳＤプレーン２２へ描画する。
【０１５９】
一方、映像・音声解析再生部３は、走行／停車判定処理部３１からの指示に従って走行操作制限中の縮小動画を表示する場合、図２４に示す実線で囲った部分に合わせて、番組映像の大きさを縮小するとともに表示位置をずらして表示する。動画プレーン１７における縮小動画と、第２ＯＳＤプレーン２２における透過色設定範囲で、位置と幅と高さを一致させることで、地図画面を透かして縮小動画を表示することができる。
【０１６０】
以上説明したように、この発明の実施の形態１２に係るデジタル放送受信装置によれば、走行中に伴って地図が表示されている場合であっても、安全運転を妨げない範囲で番組映像を確認できる。
【０１６１】
実施の形態１３．
この発明の実施の形態１３に係るデジタル放送受信装置の構成は、図２３に示した実施の形態１２に係るデジタル放送受信装置の構成と同じである。
【０１６２】
図２５は、動画プレーン１７と第２ＯＳＤプレーン２２を用いて縮小地図画面と全画面動画を表示する場合の画面合成イメージを示す図である。なお、図２５においては、静止画プレーン１８、文字図形プレーン１９、字幕プレーン２０および第１ＯＳＤプレーン２１については、図面が煩雑になるため記載を省略している。
【０１６３】
次に、図２５を参照しながら、この発明の実施の形態１３に係るデジタル放送受信装置の動作を説明する説明する。この実施の形態１３に係るデジタル放送受信装置の動作は、走行操作制限の解除中に表示する画面として、番組映像の全画面動画の一部に縮小地図画面を表示する点が、実施の形態１１に係るデジタル放送受信装置の動作と異なるだけである。
【０１６４】
走行操作制限を解除する場合、走行／停車判定処理部３１は、地図表示処理部１１および映像・音声解析再生部３に画面表示に関する指示を出す。地図表示処理部１１は、走行／停車判定処理部３１からの指示に従って走行操作制限の解除中の地図画面を表示する場合、図２５に示すように、全画面を透過色に設定した後に、地図を縮小し、実線で囲った部分に設定し、第２ＯＳＤプレーン２２へ描画する。
【０１６５】
一方、映像・音声解析再生部３は、走行／停車判定処理部３１からの指示に従って走行操作制限の解除中の動画を表示する場合、図２５に示す実線で囲った部分に番組映像を表示する。第２ＯＳＤプレーン２２は動画プレーン１７の上側に位置するので、動画の一部に縮小地図画面を表示できる。
【０１６６】
以上説明したように、この発明の実施の形態１３に係るデジタル放送受信装置によれば、停車中に番組映像を楽しむことができるのに加えて、地図を確認することもできる。
【０１６７】
実施の形態１４．
図２６は、この発明の実施の形態１４に係るデジタル放送受信装置の構成を示すブロック図である。このデジタル放送受信装置は、図１に示した実施の形態１に係るデジタル放送受信装置において、音声合成処理部３２が追加されて構成されている。以下においては、実施の形態１に係るデジタル放送受装置の構成要素と同一または相当する構成要素には、実施の形態１で使用した符号と同一の符号を付して説明を省略し、異なる部分を中心に説明する。
【０１６８】
音声合成処理部３２は、データ放送情報解析部８からテキストによる文字情報が入力されると、その文字情報に対応する音声を合成し、地図表示処理部１１および音声出力部２４に送る。
【０１６９】
次に、上記のように構成される、この発明の実施の形態１４に係るデジタル放送受信装置の動作を、音声合成処理部３２によって行われる音声合成処理を中心に、図２７に示すフローチャートを参照しながら説明する。
【０１７０】
音声合成処理では、まず、合成音声の出力状態が未出力に初期化される（ステップＳＴ６９）。すなわち、音声合成処理部３２は、音声合成の出力状態を未出力に初期化する。次いで、地図の表示状態が取得される（ステップＳＴ７０）。すなわち、音声合成処理部３２は、地図表示処理部１１から地図の表示状態を取得する。次いで、地図表示中であるかどうかが調べられる（ステップＳＴ７１）。すなわち、音声合成処理部３２は、ステップＳＴ７０で取得した地図の表示状態が地図表示中を示しているかどうかを調べる。
【０１７１】
このステップＳＴ７１において、地図表示中であることが判断されると、次いで、合成音声の出力状態が取得される（ステップＳＴ７２）。すなわち、音声合成処理部３２は、合成音声の出力状態を、合成音声の再生専用の別タスクから取得する。すなわち、合成音声の再生専用に別タスクを用意し、この別タスクが、音声再生中であれば合成音声の出力状態を出力中、音声未再生であれば合成音声の出力状態を未出力と設定変更するよう実装する。このように、合成音声の再生処理を別タスク化することで、合成音声の再生が途切れたり、再生速度が不均一になったりする不具合を回避できる。
【０１７２】
次いで、合成音声を出力中であるかどうかが調べられる（ステップＳＴ７３）。すなわち、音声合成処理部３２は、ステップＳＴ７２で取得した合成音声の出力状態に基づき、合成音声を出力中であるか未出力であるかを調べる。このステップＳＴ７３において、合成音声を出力中であることが判断されると、合成音声の再生が継続されたまま、シーケンスはステップＳＴ７０へ戻り、上述した処理が繰り返される。
【０１７３】
一方、ステップＳＴ７３において、合成音声を出力中でない、つまり未出力であることが判断されると、データ放送からニュースを取得することが試行される（ステップＳＴ７４）。すなわち、音声合成処理部３２は、データ放送情報解析部８に対し、データ放送情報に含まれるニュース情報を取得するよう指示する。データ放送情報解析部８は、この指示に応答して、選局中の放送が受信可能であれば、データ放送情報が記述されているＢＭＬからニュース情報部分（文字情報）を抽出して、音声合成処理部３２へ送る。
【０１７４】
次いで、ニュース情報を取得できたかどうかが調べられる（ステップＳＴ７５）。すなわち、音声合成処理部３２は、データ放送情報解析部８からニュース情報を取得できたかどうかを調べる。このステップＳＴ７５において、ニュース情報を取得できなかったことが判断されると、シーケンスはステップＳＴ７０へ戻り、上述した処理が繰り返される。一方、ステップＳＴ７５において、ニュース情報を取得できたことが判断されると、ニュースのテキストから音声が合成される（ステップＳＴ７６）。すなわち、音声合成処理部３２は、データ放送情報解析部８から取得したニュース情報の文字列から音声を合成（文字列の読み音素列を生成）する。
【０１７５】
次いで、合成音声の出力が開始される（ステップＳＴ７７）。すなわち、音声合成処理部３２は、合成音声を出力するよう再生専用の別タスクに指示し、再生専用の別タスクは合成音声の再生を開始する。この時点で、合成音声の出力状態は未出力から出力中に変化する。その後、シーケンスはステップＳＴ７０へ戻って上述した処理が繰り返される。なお、再生専用の別タスクは、合成音声を最後まで再生し終わると、再生を自動的に停止するとともに、合成音声の出力状態を出力中から未出力へ変更する。
【０１７６】
上記ステップＳＴ７１において、地図表示中でないことが判断されると、次いで、合成音声の出力状態が取得される（ステップＳＴ７８）。このステップＳＴ７８の処理は、上述したステップＳＴ７２の処理と同じである。次いで、合成音声を出力中であるかどうかが調べられる（ステップＳＴ７９）。このステップＳＴ７９の処理は、上述したステップＳＴ７３の処理と同じである。
【０１７７】
このステップＳＴ７９において、合成音声が出力中でない、つまり合成音声が未出力中であることが判断されると、シーケンスはステップＳＴ７０へ戻り、上述した処理が繰り返される。一方、合成音声が出力中であることが判断されると、合成音声の出力が中止される（ステップＳＴ８０）。すなわち、音声合成処理部３２は、合成音声の出力を中止するよう再生専用の別タスクに指示し、再生専用の別タスクは合成音声の再生を中止する。この時点で、合成音声の出力状態は出力中から未出力に変化する。その後、シーケンスはステップＳＴ７０へ戻り、上述した処理が繰り返される。
【０１７８】
なお、図２６では、図面が煩雑になるのを避けるために、音声合成処理部３２と映像・音声解析再生部３を接続する線を省略しているが、合成音声の出力中には、音声合成処理部３２は映像・音声解析再生部３に番組音声の出力を中止するよう指示することで、合成音声と番組音声が重畳して聞き取り難くなることを避けるように構成されている。
【０１７９】
以上説明したように、この発明の実施の形態１４に係るデジタル放送受信装置によれば、地図表示中には、データ放送で提供されるニュース内容を音声で聞くことができ、走行中であることによって番組映像を見られない場合であっても、ユーザを飽きさせないという効果を奏する。
【０１８０】
以上説明した、この発明の実施の形態１〜実施の形態１４に係るデジタル放送受信装置は、以下のように変形することができる。
［実施の形態１に係るデジタル放送受信装置の変形例］
（１）実施の形態１に係るデジタル放送受信装置では、リモコンによりデジタル放送受信機を操作するように構成したが、リモコンの代わりにタッチパネルを用いることができる。
（２）実施の形態１に係るデジタル放送受信装置では、第１ＯＳＤプレーン２１を第２ＯＳＤプレーン２２より上側に配置するように構成したが、上下の重なりを逆にして構成できる。
（３）実施の形態１に係るデジタル放送受信装置では、ＧＰＳ衛星を用いて自車位置を検知するように構成したが、日本で独自に打ち上げる予定の準天頂衛星や欧州のガリレオ衛星を用いて自車位置を検出するように構成できる。また、位置精度はＧＰＳ受信機等より劣るが、携帯電話の中継局位置等を用いて自車位置を検出するように構成することもできる。
（４）実施の形態１に係るデジタル放送受信装置では、ビットマップ地図を表示するように構成したが、ナビゲーション装置と同様のベクトル地図を表示するように構成できる。
（５）実施の形態１に係るデジタル放送受信装置では、では、タスクを用いて実装する例を示したが、スレッドやプロセスを用いて実装するように構成できる。
（６）実施の形態１に係るデジタル放送受信装置では、地図の更新周期を１／６秒としたが、別の更新周期を用いることもできる。
（７）実施の形態１に係るデジタル放送受信装置では、リモコンに専用の地図ボタンを設けて操作する例を示したが、図２８に示すように、チャンネル一覧に地図切替機能を持たせて操作するように構成できる。この場合、上下ボタン押下で強調表示されている枠が上下に移動し、例えば、最上段を選択して決定ボタンが押下されると地図が表示される。
（８）図２９に示すように、映像付きのチャンネル一覧に地図切替機能を持たせるように構成することもできる。この場合、上下左右ボタン押下で強調表示された枠が移動し、左上を選択して決定ボタンが押下されると地図が表示される。
【０１８１】
［実施の形態２に係るデジタル放送受信装置の変形例］
（９）実施の形態２に係るデジタル放送受信装置では、排他制御部２６と第１ＯＳＤプレーン２１を接続し、地図と番組表で第１ＯＳＤプレーン２１を共用する例を示したが、第１ＯＳＤプレーン２１に代えて、静止画プレーン１８、文字図形プレーン１９または字幕プレーン２０のいずれかを用いるように構成できる。
（１０）実施の形態２に係るデジタル放送受信装置では、ミューテックスを用いて排他制御機能を実装するように構成したが、セマフォ（手旗信号の意味で、組込ＯＳ分野では排他制御や同期制御に用いられる一般的な仕組み）または排他制御用の変数を用いて実装するように構成することもできる。
【０１８２】
［実施の形態３に係るデジタル放送受信装置の変形例］
（１１）実施の形態３に係るデジタル放送受信装置では、排他制御部２６、色テーブル切替制御部２７および第１ＯＳＤプレーン２１を接続し、地図と番組表で第１ＯＳＤプレーン２１を共用するように構成したが、第１ＯＳＤプレーン２１に代えて、静止画プレーン１８、文字図形プレーン１９、字幕プレーン２０のいずれかを共用するように構成できる。ただし、静止画プレーンは色テーブル形式でない場合が多いので、このような場合は共用することはできない。
（１２）実施の形態３に係るデジタル放送受信装置では、Ｉｎｄｅｘ８形式の色テーブルを用いるように構成したが、透過色をサポートしない（αがない場合）色テーブルまたはそれ以外の色テーブルを用いるように構成することもできる。
【０１８３】
［実施の形態４に係るデジタル放送受信装置の変形例］
（１３）実施の形態４に係るデジタル放送受信装置では、第２ＯＳＤプレーン２２と第３ＯＳＤプレーン２８とを対で使用して地図を描画するように構成したが、動画プレーン１７以外の２枚の描画プレーンを組み合わせるように構成できる。また、２枚以上の描画プレーンを組み合わせるように構成することもできる。
（１４）実施の形態４に係るデジタル放送受信装置では、描画プレーンから合成処理制御部２３への出力を禁止／許可することにより同期制御を実現する例を示したが、図３０に示すように、各描画プレーンや合成処理制御部が内部に２つのメモリを持ち、２つのメモリを同期して切り替えるように構成できる。タイミング１の場合は、描画アプリ→第１描画メモリと第３描画メモリ、第２描画メモリと第４描画メモリ→第１出力メモリ、第２出力メモリ→表示出力が接続され、タイミング２の場合は、描画アプリ→第２描画メモリと第４描画メモリ、第１描画メモリと第３描画メモリ→第２出力メモリ、第１出力メモリ→表示出力が接続される。
【０１８４】
［実施の形態５に係るデジタル放送受信装置の変形例］
（１５）実施の形態５に係るデジタル放送受信装置では、地図に選局中の番組名を重畳表示するように構成したが、選局中の放送局名、サービス名または番組説明等を表示するように構成できる。
【０１８５】
［実施の形態６に係るデジタル放送受信装置の変形例］
（１６）実施の形態６に係るデジタル放送受信装置では、地図に選局中の放送局のサービスエリアを重畳表示するように構成したが、放送局のアンテナ位置または中継局のアンテナ位置等といった放送局に関する地理的情報を併せて表示するように構成できる。
【０１８６】
［実施の形態７に係るデジタル放送受信装置の変形例］
（１７）実施の形態７に係るデジタル放送受信装置では、データ放送情報に含まれる天気情報を地図上に重畳表示するように構成したが、自車位置周辺の交通状況、ニュースまたはイベント情報等のデータ放送に含まれる他の情報を重畳表示するように構成できる。
（１８）実施の形態７に係るデジタル放送受信装置では、天気情報を常時表示するように構成したが、地図に重畳表示したいジャンル等のキーワードを決めておき、選局中の放送に含まれるデータ放送情報の内容を検索し、決めておいたジャンルに合致する内容があれば、その内容を抽出して、画面に重畳表示するとともに音声でそれを通知するように構成できる。例えば、「○○○」というキーワードを登録しておき、データ放送情報を格納されているＢＭＬの中の「○○○」というキーワードに合致するか否かを監視しておき、合致すればキーワードに関連する情報部分を抽出し表示する。この実現方法については、インターネットの検索サイトと同様である。
（１９）実施の形態７に係るデジタル放送受信装置では、解析した天気情報を地図上に重畳表示するように構成したが、希望するジャンル等のキーワードを登録しておき、受信中のデータ放送情報にキーワードが含まれていれば、このキーワードに対応するアイコンを重畳表示するように構成し、このアイコンが選択されると、このキーワードに該当する情報を解析して表示するように構成することもできる。
【０１８７】
［実施の形態８に係るデジタル放送受信装置の変形例］
（２０）実施の形態８に係るデジタル放送受信装置では、地図上に放送の受信状態を３本の柱（柱の本数で受信状態を示す）で表現して地図に重畳するように構成したが、柱の長さ（長い程受信状態がよい）または色（青：良好〜黄：普通〜赤：悪化）で受信状態を示すように構成できる。また、表示する印（○：良好〜△：普通、×：悪化）や文字で受信状態を表示するように構成することもできる。
【０１８８】
［実施の形態９に係るデジタル放送受信装置の変形例］
（２１）実施の形態９に係るデジタル放送受信装置では、受信状態が悪化すると系列局をサーチするように構成したが、系列局でない他の受信可能局をサーチするように構成することもできる。
【０１８９】
［実施の形態１０に係るデジタル放送受信装置の変形例］
（２２）実施の形態１０に係るデジタル放送受信装置では、受信状態が悪化すると自動的に地図画面を表示し、受信状態が回復すると番組映像を自動的に表示するように構成したが、受信状態に応じて地図画面と番組映像との自動切換をＯＮ／ＯＦＦできるように構成することもできる。この構成によれば、ユーザの嗜好に合わせることができる。
【０１９０】
［実施の形態１１に係るデジタル放送受信装置の変形例］
（２３）実施の形態１１に係るデジタル放送受信装置では、走行中であれば自動的に地図画面に切り替える走行操作制限を行うように構成したが、テレビジョンに関する複雑な操作（例えば、メニュー操作等）を禁止にする点は、通常の車載用デジタルテレビジョン受信機と同様である。
（２４）実施の形態１１に係るデジタル放送受信装置では、移動速度を算出する計算にＧＰＳ受信機の位置精度を用いないように構成したが、ＤＯＰ値（Ｄｉｌｕｔｉｏｎ  ｏｆ  Ｐｒｅｃｉｓｉｏｎ：精度の劣化係数と呼ばれ、値が小さいほど位置精度がよいことを示す）を用いて、位置精度が悪い場合は計算に用いないように構成できる。このように、位置精度を考慮すれば、移動速度の信頼度も向上する。
【０１９１】
［実施の形態１２に係るデジタル放送受信装置の変形例］
（２５）実施の形態１２に係るデジタル放送受信装置では、地図上に重畳する動画を縮小して表示するように構成したが、通常の動画ではなく一定時間毎（例えば１秒間隔）に静止画を表示する簡易動画を縮小表示するように構成できる。この構成によれば、走行中であっても安全運転をさらに妨げなくなる。
【０１９２】
［実施の形態１４に係るデジタル放送受信装置の変形例］
（２６）実施の形態１４に係るデジタル放送受信装置では、地図表示中にニュース内容を合成音声で出力するように構成したが、ニュース以外のデータ放送情報に含まれる情報を出力するように構成できる。
【０１９３】
［その他の変形例］
（２７）実施の形態３に係るデジタル放送受信装置の排他制御部２６と色テーブル切替制御部２７、および、実施の形態４に係るデジタル放送受信装置の描画同期処理部２９を、図３１に示すように組み合わせて構成することもできる。なお、各部の動作は実施の形態３に係るデジタル放送受信装置と実施の形態４に係るデジタル放送受信装置の動作の組合せに過ぎないので説明を省略する。
【０１９４】
（２８）上述した各実施の形態では、デジタル放送受信装置の一例としてデジタルテレビジョン受信機を用いた場合について説明したが、この発明は、今後展開されるデジタルラジオにも適用できる。
【図面の簡単な説明】
【０１９５】
【図１】この発明の実施の形態１に係るデジタル放送受信装置の構成を示すブロック図である。
【図２】図１に示す表示制御部を構成する描画プレーンの論理的な重なりを説明するための図である。
【図３】この発明の実施の形態１に係るデジタル放送受信装置の動作を、画面イメージの合成処理を中心に示すフローチャートである。
【図４】この発明の実施の形態２に係るデジタル放送受信装置の構成を示すブロック図である。
【図５】この発明の実施の形態２に係るデジタル放送受信装置の動作を、排他制御処理を中心に示すフローチャートである。
【図６】この発明の実施の形態３に係るデジタル放送受信装置の構成を示すブロック図である。
【図７】この発明の実施の形態３に係るデジタル放送受信装置の動作を、色テーブル切替制御処理を中心に示すフローチャートである。
【図８】この発明の実施の形態４に係るデジタル放送受信装置の構成を示すブロック図である。
【図９】この発明の実施の形態４に係るデジタル放送受信装置の動作を、描画同期処理を中心に示すフローチャートである。
【図１０】この発明の実施の形態５に係るデジタル放送受信装置の構成を示すブロック図である。
【図１１】この発明の実施の形態５に係るデジタル放送受信装置で表示される、地図の中央上部に番組名を重畳表示した画面例を示す図である。
【図１２】この発明の実施の形態６に係るデジタル放送受信装置で表示される、選局中の放送局のサービスエリアを地図上に表示する画面イメージを示す図である。
【図１３】この発明の実施の形態７に係るデジタル放送受信装置の構成を示すブロック図である。
【図１４】この発明の実施の形態７に係るデジタル放送受信装置で表示される、地図の中央右側に現在地域の天気情報を重畳表示した画面例を示す図である。
【図１５】この発明の実施の形態８に係るデジタル放送受信装置の構成を示すブロック図である。
【図１６】この発明の実施の形態８に係るデジタル放送受信装置で表示される、地図の右側上部に放送受信状態を重畳表示した場合の画面例を示す図である。
【図１７】この発明の実施の形態９に係るデジタル放送受信装置の構成を示すブロック図である。
【図１８】この発明の実施の形態９に係るデジタル放送受信装置の動作を、受信状態監視処理を中心に示すフローチャートである・
【図１９】この発明の実施の形態１０に係るデジタル放送受信装置の動作を、受信状態監視処理を中心に示すフローチャートである。
【図２０】この発明の実施の形態１１に係るデジタル放送受信装置の構成を示すブロック図である。
【図２１】この発明の実施の形態１１に係るデジタル放送受信装置の動作を、走行／停車判定処理部３１によって行われる処理を中心に示すフローチャートである。
【図２２】この発明の実施の形態１１に係るデジタル放送受信装置において行われる移動速度の計算例を説明するための図である。
【図２３】この発明の実施の形態１２に係るデジタル放送受信装置の構成を示すブロック図である。
【図２４】この発明の実施の形態１２に係るデジタル放送受信装置において地図と縮小動画を表示する場合の画面合成イメージを示す図である。
【図２５】この発明の実施の形態１３に係るデジタル放送受信装置において縮小地図画面と全画面動画を表示する場合の画面合成イメージを示す図である。
【図２６】この発明の実施の形態１４に係るデジタル放送受信装置の構成を示すブロック図である。
【図２７】この発明の実施の形態１４に係るデジタル放送受信装置の動作を、音声合成処理を中心に示すフローチャートである。
【図２８】この発明の実施の形態１に係るデジタル放送受信装置の変形例で使用される操作用の画面例を示す図である。
【図２９】この発明の実施の形態１に係るデジタル放送受信装置の変形例で使用される操作用の他の画面例を示す図である。
【図３０】この発明の実施の形態４に係るデジタル放送受信装置の変形例を説明するための図である。
【図３１】この発明の他の変形例を説明するための図である。
【符号の説明】
【０１９６】
１  デジタル放送選局受信部、２  情報分離部、３  映像・音声解析再生部、４  番組情報解析部、５  番組表描画部、６  字幕文字スーパー情報解析部、７  字幕文字スーパー描画部、８  データ放送情報解析部、９  データ放送ブラウザ、１０  位置情報受信部、１１  地図表示処理部、１２  自車位置検出部、１３  地図データ読出部、１４  地図描画部、１５  処理優先度制御部、１６  表示制御部、１７  動画プレーン、１８  静止画プレーン、１９  文字図形プレーン、２０  字幕プレーン、２１  第１ＯＳＤプレーン、２２  第２ＯＳＤプレーン、２３  合成処理制御部、２４  音声出力部、２５  表示出力部、２６  排他制御部、２７  色テーブル切替制御部、２８  第３ＯＳＤプレーン、２９  描画同期処理部、３０  受信状態監視制御部、３１  走行／停車判定処理部、３２  音声合成処理部。
【図１】
2008294952.tif 000004
【図２】
2008294952.tif 000005
【図３】
2008294952.tif 000006
【図４】
2008294952.tif 000007
【図５】
2008294952.tif 000008
【図６】
2008294952.tif 000009
【図７】
2008294952.tif 000010
【図８】
2008294952.tif 000011
【図９】
2008294952.tif 000012
【図１０】
2008294952.tif 000013
【図１１】
2008294952.tif 000014
【図１２】
2008294952.tif 000015
【図１３】
2008294952.tif 000016
【図１４】
2008294952.tif 000017
【図１５】
2008294952.tif 000018
【図１６】
2008294952.tif 000019
【図１７】
2008294952.tif 000020
【図１８】
2008294952.tif 000021
【図１９】
2008294952.tif 000022
【図２０】
2008294952.tif 000023
【図２１】
2008294952.tif 000024
【図２２】
2008294952.tif 000025
【図２３】
2008294952.tif 000026
【図２４】
2008294952.tif 000027
【図２５】
2008294952.tif 000028
【図２６】
2008294952.tif 000029
【図２７】
2008294952.tif 000030
【図２８】
2008294952.tif 000031
【図２９】
2008294952.tif 000032
【図３０】
2008294952.tif 000033
【図３１】
2008294952.tif 000034